(57)【要約】  プロセス及び／又は設備品を有するプラントにおいて制御システム（１０）と共に用いるための情報検索システム（１）であって、制御システム（１０）は、プロセス及び設備品を監視ならびに制御するために、少なくとも１つの入力コンポーネント及び／又は少なくとも１つの出力コンポーネントに接続されており、制御システムは、少なくとも１つの入力及び／又は出力コンポーネント；少なくとも１つのプロセス；少なくとも１つの設備品；制御システム（１０）の一部；又はプラントの一部：のうちの１つ以上における可能性のある障害を示す入力及び出力コンポーネントから状態インディケーション（１２）を生成するように作動させられる。【選択図】図２
2017528781.tif 000002
【特許請求の範囲】
【請求項１】
プロセス及び／又は設備品を有するプラントにおいて制御システムと共に用いるための情報検索システムであって、前記制御システムは、前記プロセス及び前記設備品を監視ならびに制御するために、少なくとも１つの入力コンポーネント及び／又は少なくとも１つの出力コンポーネントに接続されており、前記制御システムは、少なくとも１つの入力及び／又は出力コンポーネント；少なくとも１つのプロセス；少なくとも１つの設備品；前記制御システムの一部；又は前記プラントの一部：のうちの１つ以上における可能性のある障害を示す前記入力及び出力コンポーネントから状態インディケーションを生成するように作動させられるものであり、当該情報検索システムは：
前記状態インディケーションを受信するために、前記制御システムと通信するインタフェース；
前記入力コンポーネント、前記出力コンポーネント、前記プロセス、前記設備品、及び前記プラントに関する情報を保存するための情報モジュールであって、前記保存される情報は、前記状態インディケーションにリンクされているとともに、所与の状態インディケーションにリンクされた情報が、前記所与の状態インディケーションに関連付けられた入力及び／又は出力コンポーネント；プロセス；設備品；前記制御システムの部分又は前記プラントの部分：のうちの１つ以上に関連性を持つように、前記保存される情報はセグメント化されている、情報モジュール；及び、
当該情報検索システムを制御するためのユーザインタフェース；を備え、
当該情報検索システムが状態インディケーションを受信すると、ユーザは、該状態インディケーションにリンクされた関連保存情報を検索するために、前記ユーザインタフェースを操作することが可能である、情報検索システム。
【請求項２】
保存される情報を選択的にセグメント化するとともに、前記セグメント化された保存情報を１つ以上の状態インディケーションに選択的にリンクさせるための、セグメント化／リンク付けモジュールをさらに備える、請求項１に記載の情報検索システム。
【請求項３】
前記保存される情報がマルチページドキュメントである場合には、前記セグメント化及びリンク付けは、前記状態インディケーションに関連した情報が記載されている１つ以上のページ番号を入力することをさらに含み、これにより、前記検索で取得された情報は、該１つ以上のページのみを含むことになる、請求項２に記載の情報検索システム。
【請求項４】
前記セグメント化及びリンク付けは、前記検索で取得された情報の少なくとも一部がハイライト表示されるように、情報を入力することをさらに含む、請求項２又は３に記載の情報検索システム。
【請求項５】
前記情報は、回路図；電気回路図；回路レイアウト図；油圧回路図；空圧回路図；ループ図；及びプロセスフロー図：のうちの１つ以上を含む図式情報を含む、請求項２〜４のいずれか一項に記載の情報検索システム。
【請求項６】
前記情報は、データシートを含む非図式情報を含む、請求項５に記載の情報検索システム。
【請求項７】
前記図式情報に示される少なくとも１つのコンポーネントが、該コンポーネントに関する関連データシートに関連付けられている場合には、前記セグメント化及びリンク付けは、前記検索で取得された情報が該図式情報及び該関連データシートを含むように、情報を入力することをさらに含む、請求項６に記載の情報検索システム。
【請求項８】
前記少なくとも１つのコンポーネントは、保存される関連情報との関連付けのために入力される固有の識別子を有する、請求項７に記載の情報検索システム。
【請求項９】
前記ユーザインタフェースに状態インディケーションが表示されるときには、該状態インディケーションならびに関連する入力及び／又は出力はハイパーリンクされており、前記ハイパーリンクを作動させることによって、関連する保存情報が検索される、請求項１〜８のいずれか一項に記載の情報検索システム。
【請求項１０】
前記検索で取得された情報を、プリンタで印刷すること、又は表示画面を備えた携帯電子機器に転送すること、を含む、出力手段によって出力し、これにより、前記ユーザは、前記検索で取得された情報を、保守を実施する場所又はその近くで閲覧することが可能である、請求項１〜９のいずれか一項に記載の情報検索システム。
【請求項１１】
前記状態情報は、アラーム及び入力／出力ステータスインディケーション：のうちの１つ以上を含む、請求項１〜１０のいずれか一項に記載の情報検索システム。
【請求項１２】
前記制御システムの入力及び出力コンポーネントは、物理（システム）入力及び／又は出力、センサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータ：のうちのいずれか１つ以上を含む、請求項１〜１１のいずれか一項に記載の情報検索システム。
【請求項１３】
前記制御システムは：監視制御・データ収集（ＳＣＡＤＡ）システム；プログラマブルロジックコントローラ（ＰＬＣ）；又は、分散制御システム（ＤＣＳ）を含む、請求項１〜１２のいずれか一項に記載の情報検索システム。
【請求項１４】
前記ユーザインタフェースは、グラフィックディスプレイである、請求項１〜１３のいずれか一項に記載の情報検索システム。
【請求項１５】
前記ユーザインタフェースは、さらに、前記制御システムのユーザインタフェースを含む、請求項１〜１４のいずれか一項に記載の情報検索システム。
【請求項１６】
当該情報検索システムは、前記制御システム内に組み込まれている、請求項１〜１５のいずれか一項に記載の情報検索システム。
【発明の詳細な説明】
【技術分野】
【０００１】
本発明は、情報検索システム及び情報検索方法に関するものである。このシステム及び／又は方法は、特に、監視制御・データ収集（ＳＣＡＤＡ）システム、プログラマブルロジックコントローラ（ＰＬＣ）、又は分散制御システム（ＤＣＳ）のような、制御システムに有用であり得る。さらに、この情報検索システム及び／又は方法は、特に、制御システムにおける障害識別を支援するために有用であり得る。
【背景技術】
【０００２】
ＳＣＡＤＡ、ＰＬＣ、及びＤＣＳタイプのシステムのような制御システムは、製造、採掘などのような大規模な工場又はプラントにおける設備及びプロセスを監視及び制御するために用いられる。制御システムによって、操作員は、設備及び／又はプロセスで何が起こっているのかを、多くの場合、簡略図表形式で、通常はリアルタイムで、容易に概観することが可能となる。制御システムは、アラーム監視システム、及び監視システムと呼ばれることもある。
【０００３】
制御システムは、船舶航行に用いられるときには、場合によって、船舶監視システム、主機関監視システム、バラスト（制御）システム、パワーマネージメントシステムなどと呼ばれることがある。制御システムは、様々な分野及び産業における多数の用途がある。
【０００４】
設備又はプロセスに障害が発生した場合、又は最適能力で機能していない場合には、制御システムは、アラームを送出するように作動させられて、そのアラームを操作員が受け取ることで、操作員は、アラームの原因である問題の解決のために対応することが可能である。
【０００５】
（主に）電気的問題の障害発見は、極めて大きな時間を要することが多い。これは、工場又はプラントの多大なダウンタイムにつながり、これによって、非常にコストがかかる可能性がある。障害解決プロセスは、一つの見方によれば、障害の箇所及び本質の特定、ならびに障害の解決：という２つの部分に分けることができる。
【０００６】
障害の解決は、通常、かなり迅速に済むが、障害の箇所及び本質を特定するのに要する時間は、いくつかの例において、およそ１５分間から数日間まで、様々である。障害の箇所及び本質を特定するための実際の時間は、障害解決担当者のスキル、その担当者が利用できるツール、設備及び障害の複雑さ、によって異なる。多くの場合、障害発見プロセスを完了させるためには、多様な訓練が必要とされる。
【０００７】
組織によっては、障害及びその可能性のある解決策についての知識ベースを編成して、これを、障害の箇所及び本質の特定に要する時間を最小限に抑えるための手順と、併用している。この方法は、やはり、障害発見に携わる保守員の有効なスキルに大きく依存する。
【０００８】
この問題は、障害発見に要する時間を予測可能かつ再現可能な短時間に短縮するための所要レベルの情報及び指針を提供するために要求される（自動化システムの）高いカスタマイズレベルを理由として、これまでに解決されていない。
【発明の概要】
【発明が解決しようとする課題】
【０００９】
上述の問題を解決することは、障害の箇所及び本質を特定することに対処するための解決策の一部をそれぞれ含むエンティティ間に論理的又はロジスティックなリンクがないため、さらに複雑である。各々のエンティティは、通常、別々のベンダのツールによって作成される。
【００１０】
現在のところ、制御システムにおけるほとんど又はすべてのアラーム状態は、制御システムの制御画面（例えば、ＳＣＡＤＡシステムの画面又はインタフェース）に表示される。通知されるアラーム（この場合は、真のアラーム）は、高温若しくは高レベル、低速回転、ならびに、工場、プラントなどで発生する可能性がある他のそのようなプロセス及び／又は設備の問題のような、解決の必要があるプロセス又は設備の問題を操作員に知らせる目的のものである。この種の解決アクションは、通常、操作員又は保守員の能力で対処できる範囲内である。
【００１１】
アラーム状態は、ケーブル及びワイヤによって制御システムに接続されたセンサ又はコンタクトによって生成されるが、それらのセンサ、コンタクト、ワイヤ、ケーブル、又はそれらの接続の障害が定期的に発生する。そのような状況では、存在しない（誤アラームであり得る）障害状態が発生することになり、解決の実施を可能とするには、その前に、その障害の箇所を特定することが必要となる。このような状況は、前述のように、障害の箇所及び本質を特定するのに長時間を費やすことにつながる。通常、この種の問題の原因を特定するのは、例えば、プロセス又は設備の問題の場合に比べてはるかに困難である。
【００１２】
制御システム、入力コンポーネント、出力コンポーネント、ならびに／又はワイヤ及び他のアイテムでの接続における問題の障害発見には、通常、障害の箇所及び本質を特定するためにスキルと専門知識又は勘との組み合わせを利用する１名以上の要員が必要となる。
【００１３】
通常、障害発見プロセスは、以下のステップを伴う：
（１）通知されたアラームの解析により、そのアラームがいかにして生成されたのかを、ひいては、制御システムのどの入力及び出力がこのアラームに関連付けられているのかを、特定する。これは、工場又はプラントであるその施設で利用できることも利用できないこともある専門知識及びツールを必要とすることが多い。このステップは、非常に時間を要するプロセスであり得る；
（２）関連した図面（群）を、ハードコピー又はソフトコピーで特定する。これらの図面は、その施設で入手できるものであり得るが、施設外のものであってもよい。このステップの所要時間は、図面の入手可能性、図面が良好にインデックスされているかどうか、保守員が設備及びドキュメンテーションをどれほど熟知しているか、によって異なり、さらに、ドキュメントが適切にカタログ化及び保存されているかどうかといったファクタにも依存し得る；
（３）データシート形式で、センサなどの設備についての追加情報が必要となることが多い。ステップ２のプロセスと同様に、その所要時間は、データシートの入手可能性、インデックス化、カタログ化、熟知度などのファクタに依存する；さらに、
（４）ステップ１、２、及び／又は３を完了した場合にのみ、プロセス及び／若しくは設備、又は入力及び／若しくは出力コンポーネント及び／若しくは制御システムの、実際の障害発見、識別、及び解決を開始させることが可能である。
【課題を解決するための手段】
【００１４】
一態様では、本発明は、プロセス及び／又は設備品を有するプラントにおいて制御システムと共に用いるための情報検索システムを提供し、その制御システムは、プロセス及び設備品を監視ならびに制御するために、少なくとも１つの入力コンポーネント及び／又は少なくとも１つの出力コンポーネントに接続されており、制御システムは、少なくとも１つの入力及び／又は出力コンポーネント；少なくとも１つのプロセス；少なくとも１つの設備品；制御システムの一部；又はプラントの一部：のうちの１つ以上における可能性のある障害を示す入力及び出力コンポーネントから状態インディケーションを生成するように作動させられるものであり、この情報検索システムは：状態インディケーションを受信するために、制御システムと通信するインタフェース；入力コンポーネント、出力コンポーネント、プロセス、設備品、及びプラントに関する情報を保存するための情報モジュールであって、保存される情報は、状態インディケーションにリンクされているとともに、所与の状態インディケーションにリンクされた情報が、その所与の状態インディケーションに関連付けられた入力及び／又は出力コンポーネント；プロセス；設備品；制御システムの部分又はプラントの部分：のうちの１つ以上に関連性を持つように、保存される情報はセグメント化されている、情報モジュール；及び、この情報検索システムを制御するためのユーザインタフェース；を備え、この情報検索システムが状態インディケーションを受信すると、ユーザは、その状態インディケーションにリンクされた関連保存情報を検索するために、ユーザインタフェースを操作することが可能である。
【００１５】
他の態様では、本発明は、前段落に記載したような情報検索システムを用いて、制御システムについての情報を検索する方法を提供する。
【００１６】
一実施形態では、情報検索システムは、保存される情報を選択的にセグメント化するとともに、そのセグメント化された保存情報を１つ以上の状態インディケーションに選択的にリンクさせるための、セグメント化／リンク付けモジュールを備える。
【００１７】
他の実施形態では、保存される情報がマルチページドキュメントである場合には、そのセグメント化及びリンク付けは、状態インディケーションに関連した情報が記載されている１つ以上のページ番号を入力することをさらに含み、これにより、検索で取得された情報は、そのページ又はそれらのページのみを含むことになる。セグメント化及びリンク付けは、検索で取得された情報の少なくとも一部がハイライト表示されるように、情報を入力することをさらに含むことができる。
【００１８】
他の任意選択的な実施形態では、情報には、回路図；電気回路図；回路レイアウト図；油圧回路図；空圧回路図；ループ図；及びプロセスフロー図：のうちの１つ以上を含む図式情報が含まれる。情報には、さらに、データシートなどの非図式情報を含むこともできる。図式情報に示される少なくとも１つのコンポーネントが、そのコンポーネントに関する関連データシートに関連付けられている場合には、そのセグメント化及びリンク付けは、検索で取得された情報がその図式情報及び関連データシートを含むように、情報を入力することをさらに含む。それらの実施形態では、その少なくとも１つのコンポーネントは、保存される関連情報との関連付けのために入力される固有の識別情報を有する。
【００１９】
さらに別の実施形態では、ユーザインタフェースに状態インディケーションが表示されるときには、その状態インディケーションならびに関連する入力及び／又は出力はハイパーリンクされており、このハイパーリンクを作動させることによって、関連する保存情報が検索される。
【００２０】
さらに別の実施形態では、検索で取得された情報を、プリンタで印刷する、又は表示画面を備えた携帯電子機器に転送するなど、出力手段によって出力し、これにより、ユーザは、検索で取得された情報を、保守を実施する場所又はその近くで閲覧することが可能である。
【００２１】
さらに別の実施形態では、状態情報は、アラーム及び入力／出力ステータスインディケーションのうちの１つ以上を含む。
【００２２】
他の任意選択的な実施形態では、制御システムの入力及び出力コンポーネントとして、物理（システム）入力及び／又は出力、センサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータ：のうちのいずれか１つ以上が含まれる。
【００２３】
他の実施形態では、制御システムは、監視制御・データ収集（ＳＣＡＤＡ）システム；プログラマブルロジックコントローラ（ＰＬＣ）；又は、分散制御システム（ＤＣＳ）を含む。
【００２４】
任意選択的な実施形態では、ユーザインタフェースは、グラフィックディスプレイである。さらに、ユーザインタフェースは、制御システムのユーザインタフェースを含むこともできる。
【００２５】
任意選択的な一実施形態では、この情報検索システムは、制御システム内に組み込まれている。
【００２６】
一実施形態では、制御システムが、入力及び／若しくは出力コンポーネントならびに／又はプロセス及び／若しくは設備に関するステータスインディケーションも生成する場合には、情報検索システムの制御システムインタフェースは、ステータスインディケーションに関連付けられた情報を受信することが可能であり、情報モジュールの保存情報の少なくとも一部が、ステータスインディケーションにリンクされている。
【００２７】
他の実施形態では、入力及び出力コンポーネントに関する情報には、回路図、回路レイアウト図、油圧回路図、空圧回路図、ループ図、及びプロセスフロー図：のうちの１つ以上を含む図式情報が含まれ；さらにデータシートなどの非図式情報が含まれる。
【００２８】
さらなる実施形態では、図式情報に示される１つ以上のコンポーネントは、それらのコンポーネントに関するデータシートにリンクされており、これにより、ユーザは、図式情報を閲覧しているときに、データシートを出力させるように、ユーザインタフェースを介して情報検索システムを操作することが可能である。
【００２９】
さらに別の実施形態では、入力及び出力コンポーネントには、物理（システム）入力及び／又は出力、センサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータ：のうちのいずれか１つ以上が含まれる。
【００３０】
さらに別の実施形態では、情報出力手段には、グラフィックディスプレイ及びプリンタのいずれか又は両方が含まれる。
【００３１】
他の実施形態では、ユーザインタフェースは、グラフィックディスプレイである。ユーザインタフェースは、さらに、制御システムのユーザインタフェースを含むこともできる。
【００３２】
さらに別の実施形態では、この情報検索システムは、入力及び出力コンポーネントに関する情報を情報モジュールに入力するための情報入力モジュールをさらに備える。
【００３３】
さらに別の実施形態では、この情報検索システムは、保存される情報を１つ以上のアラームにリンクさせるため、及び／又は図式情報をデータシート情報にリンクさせるため、及び／又は保存される情報をステータスインディケーションにリンクさせるための、リンク付け情報入力モジュールをさらに備える。
【００３４】
任意選択的な一実施形態では、情報入力モジュール及びリンク付け情報入力モジュールは、コンピュータを含む。
【００３５】
さらに別の任意選択的な実施形態では、制御システムは、監視制御・データ収集（ＳＣＡＤＡ）システム、プログラマブルロジックコントローラ（ＰＬＣ）、又は、分散制御システム（ＤＣＳ）を含む。
【００３６】
さらなる任意選択的な実施形態では、入力又は出力コンポーネントに関する情報がマルチページドキュメントである場合には、アラーム又はステータスインディケーションへのリンク付けは、その入力又は出力コンポーネントに関連した情報が記載されているページ番号又はいくつかのページ番号に関する情報を含み、これにより、情報出力手段は、関連したページ又はいくつかのページのみを出力することになる。
【００３７】
他の実施形態では、アラームに関連付けられた１つ以上の入力及び／又は出力コンポーネントは、検索で取得された情報において動的にハイライト表示され、ステータスインディケーションに関連付けられた１つ以上の入力及び／又は出力コンポーネントは、検索で取得された情報において動的にハイライト表示される。
【００３８】
さらなる実施形態では、ユーザインタフェースにアラーム情報が表示され、そのアラーム情報はハイパーリンクされており、このハイパーリンクを作動させると、そのアラームの生成に関連した少なくとも１つの入力及び／又は出力コンポーネントに関する保存情報が、情報出力手段によって出力される。
【００３９】
さらに別の実施形態では、制御システムは、制御システムのユーザインタフェースに表示される少なくとも１つのステータスインディケーションを含み、そのステータスインディケーションはハイパーリンクされており、このハイパーリンクを作動させると、関連付けられた入力及び／又は出力コンポーネントに関する保存情報が、情報出力手段によって出力される。
【００４０】
任意選択的な一実施形態では、アラームの生成に関連した少なくとも１つの入力及び／又は出力コンポーネントがユーザインタフェースに表示され、その少なくとも１つの入力及び／又は出力コンポーネントはハイパーリンクされており、このハイパーリンクを作動させると、その少なくとも１つの入力及び／又は出力コンポーネントに関する保存情報が、情報出力手段によって出力される。
【００４１】
さらに別の実施形態では、図式情報に示される１つ以上のコンポーネントは、データシートにリンクされており、このハイパーリンクを作動させると、関連データシート又はデータシート群が表示される。
【００４２】
一実施形態では、この情報検索システムは、アラームが誤アラームであるかどうかを、そのアラームに関連付けられた入力及び／又は出力コンポーネントからの情報によって判定するための、障害判定モジュールをさらに備える。
【００４３】
さらに別の実施形態では、情報モジュールは、さらに、プロセス及び／又は設備に関する情報を保存する。
【００４４】
任意選択的な一実施形態では、プロセス及び／又は設備に関する情報には、回路図、回路レイアウト図、油圧回路図、空圧回路図、ループ図、及びプロセスフロー図：のうちの１つ以上を含む図式情報；ならびにデータシートなどの非図式情報が含まれる。
【００４５】
さらに別の実施形態では、プロセス及び／又は設備に関する情報は、ユーザインタフェースによってアクセス可能であり、情報出力手段によって出力することが可能である。
【００４６】
本発明の理解のため、さらには本発明がいかにして実施され得るのかを示すために、本発明の任意選択的な実施形態について、非限定的な例によって、添付の図面を参照して、以下で説明する。
【図面の簡単な説明】
【００４７】
【図１】情報検索システムと制御システムとが統合された、本発明の一実施形態の図である。
【図２】情報検索システムと制御システムとが分離された、本発明の他の実施形態の図である。
【図３】本発明の一実施形態における典型的な方法ステップを示すフロー図である。
【図４】本発明の一実施形態により、想定されるシナリオで表示される情報を示すスクリーンショット例の図である。
【図４Ａ】本発明の一実施形態により、想定されるシナリオで表示される情報を示すスクリーンショット例の図である。
【図４Ｂ】本発明の一実施形態により、想定されるシナリオで表示される情報を示すスクリーンショット例の図である。
【図４Ｃ】本発明の一実施形態により、想定されるシナリオで表示される情報を示すスクリーンショット例の図である。
【図４Ｄ】例示的な制御システム画面に表示される情報を示すスクリーンショット例の図である。
【図５】図４のスクリーンショットの詳細であって、他の情報へのリンクを提供するボタンである。
【図６】情報検索システム及び方法によって提供されるドキュメントの一例であり、さらに、そのドキュメントの詳細（丸で囲んだ部分）を示している。
【図７】デジタル入力／出力についてのステータス画面を表示するピクチャウィンドウの図である。
【図８】図７のものとは異なる、アナログ入力／出力についてのステータス画面を表示するピクチャウィンドウの図である。
【発明を実施するための形態】
【００４８】
本発明の情報検索システム及び方法によって、障害識別における以下のステップの自動化が可能となる：
（１）通知されたアラームの解析により、そのアラームがいかにして生成されたのかを、ひいては、制御システムのどの入力及び出力がこのアラームに関連付けられているのかを、特定する；
（２）関連した図面（群）を、ハードコピー又はソフトコピーで特定する；さらに、
（３）データシート形式で、センサなどの設備についての追加情報を提供し、さらに／又は、
（４）可変周波数駆動装置、トランスミッタ、トランスデューサなどの設備についての、構成、プログラム、及び／又はパラメータファイルの形で、追加情報を提供する。
【００４９】
この情報検索システム及び方法によって、さらに、専門知識、スキル、又はツールの必要性を制限若しくは解消することが可能となる。
【００５０】
図１を参照すると、制御システム１０に統合又は併合された情報検索システム１の実施形態を示している。制御システムは、アラーム番号を含むアラーム情報を有するアラーム１２を生成するための機構を含む。制御システムは、さらに、各アラームに関連付けられた入力及び出力情報を生成するための機構も含む。さらに、制御システムは、ステータスインディケーション（図１には示していない）を生成するための機構を有する。アラームならびに入力及び／又は出力ステータスインディケーションは、まとめて、状態情報と呼ぶことができ、これは、状態インディケーションで表示されるものであって、これにより、制御システム、プラント及びプロセス、ならびに／又は制御システムによって制御されるプラント内の設備品、の状態に関するフィードバックを操作員に与える。
【００５１】
情報検索システム１（この統合型２０のシステムではコンポーネントとも呼ばれる）は、制御システムによって生成されるアラームに関連付けられた情報を受信するために、制御システムと通信するインタフェースを含む。図１に示す実施形態では、情報検索システムは、アラーム番号及び入出力点リファレンスを受信する。
【００５２】
制御システムの操作員は、制御システムのユーザインタフェースから、状態インディケーションによって、ある設備及び／又はプロセスがアラーム状態にあることを知ることが可能である。制御システムのユーザインタフェースは、アラームならびに関連付けられた入力コンポーネント及び出力コンポーネントに関する様々な情報を表示することができる。一実施形態では、操作員は、情報モジュール１６から情報を検索して取得するための、情報検索システムのユーザインタフェースの操作のために、入力及び出力情報におけるハイパーリンクをクリックすることができる。本実施形態では、情報には、入力及び出力コンポーネントに関する技術情報を提供する各種図面３０が含まれる。その技術情報は、情報出力手段によって極めて容易に操作員に表示され、その情報出力手段は、視覚ディスプレイモニタとすることができるが、プリンタとすることも、又はその両方とすることも可能である。技術情報は、非常に迅速に提供され、制御システムにおける当該の入力／出力コンポーネント、設備及び／又はプロセスの問題の解決に直接関連している。
【００５３】
特に、制御システムからの状態インディケーションが、いずれかの設備又はプロセスの障害によってではなく、入力／出力コンポーネントの障害によってトリガされた場合に、情報検索システムによって、操作員は、関連したコンポーネントを特定することが可能となる。その情報には、回路図、電気回路図、回路レイアウト図、油圧回路図、空圧回路図、ループ図、及びプロセスフロー図：のうちの１つ以上を含む図式情報を含むことができる。さらに、情報には、データシートを含むことができる。
【００５４】
情報検索システムは、一部の実施形態では、コンポーネントに関連した情報を操作員が検索することを可能とするハイパーリンクを含み、この場合、その情報は、図式情報及び関連付けられたデータシート情報の両方である。他の実施形態では、図式情報は、それ自体が動的にハイパーリンクされることが可能であり、これにより、その図式情報に示された関連する入力及び／又は出力コンポーネント（かつ関連するもののみ）が、その対応するデータシートにそれぞれハイパーリンクされる。
【００５５】
図２は、図１に示すものとは異なる情報検索システムの実施形態を示しており、この場合、情報検索システム１は、制御システム１０から分離されている。情報検索システムと制御システムは、制御システムによって生成されるアラームに関連付けられた情報を受信するために制御システムと通信するインタフェース１１によって、リンクされている。図２に示す実施形態では、情報検索システム（情報検索コンポーネントとも呼ばれる）は、図面用情報検索コンポーネント１３及びデータシート用情報検索コンポーネント１５など、いくつかのコンポーネントを含む。情報検索システム１の操作員は、ユーザインタフェースを用いて、図面又はドキュメントタイプの選択１７をすることが可能である。ユーザインタフェースは、アクションの入力、表示、及び制御のためのウィンドウなどを表示するコンピュータ上のプログラムとして実装され得ることは理解されるであろう。さらに、情報検索システムのユーザインタフェース及び制御システムのユーザインタフェースは、同じコンピュータに実装して、同じコンピュータ画面に表示することが可能である。さらに、情報検索システムのユーザインタフェースにおいて実現されるコンピュータプログラムの様相は、制御システム１０の操作用のそのようなコンピュータプログラムの様相と同じコンピュータプログラムで実現することが可能である。情報検索システムを制御するためのコンピュータの様相は、制御システムに関するウィンドウなどとは別のウィンドウなどに表示され得る。
【００５６】
他の実施形態では、情報検索システム１は、遠隔から検索情報にアクセス可能であるように、クラウドベースの機能を備える。クラウドベースの機能によって、さらに、情報又は情報の一部を、設備又はプラントから遠隔のクラウドに保存することも可能となる。情報検索システムがクラウドベースの機能を備える場合には、例えばインターネットが利用できないときなどに、引き続き機能を提供するためのローカルコンポーネントを施設に備えることも可能である。
【００５７】
制御システム１０は、制御システムに接続された入力コンポーネント及び／又は出力コンポーネントから受信した情報又はデータに基づいて、アラーム又は他の状態インディケーションを生成する。入力及び出力コンポーネントとして、幅広く様々なタイプのセンサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータを含むことができる。入力及び出力コンポーネントとして、さらに、物理（システム）入力及び／又は出力を含むことができる。典型的には、入力及び／又は出力コンポーネントは、ケーブル又はワイヤによって制御システム１０に接続されている。
【００５８】
制御システム１０によって生成されるアラームには、例えば、設備品又はプロセスが、期待通り又は容認可能に機能していないという条件が、プロセス及び／又は設備において満たされる場合の、真のアラームが含まれ、この場合、その設備又はプロセスに関連付けられた入力及び／又は出力コンポーネントは、そのプロセス又は設備の異常状態を示すデータを制御システムに送信する。これは、制御システム１０が正常に機能しているとみなすことができ、これにより、操作員は、そのプロセス又は設備に対して調整又は修理を実施することが可能となる。場合によって、その調整又は修理は、制御システムを介して実施することが可能である。それ以外の場合は、設備又はプロセス自体に対して調整又は修理を実施しなければならない。
【００５９】
その他の状況として、工場又はプラント内の設備及び／若しくはプロセスは、想定される正常なパラメータの範囲内で動作し得るが、入力及び／又は出力コンポーネント自体に障害があることで、制御システムに誤アラームを生成させるようなデータが制御システム１０に送出されることが生じる可能性がある。このような誤アラームは、特に、制御システムに接続されている入力及び／又は出力コンポーネントが非常に多数であり得る場合には、検出及び解決が非常に困難である可能性がある。
【００６０】
例えば、入力センサが誤動作していることで、誤った温度測定値が制御システムに示されることがあり、その結果、制御システムは、設備品又はプロセスにおけるその温度が許容可能なパラメータ範囲外であることを示すアラームを生成する。この誤アラームによって、操作員は、プロセス又は設備自体に機能異常が発生していると信じ込むことがある。しかしながら、調査することによって、操作員は、実際には、プロセス又は設備には機能異常が発生していないことに気付くことがあり、次に操作員は、入力及び／又は出力に障害があるのではないかと疑うことになり得る。このような状況において、操作員は、情報モジュール１６に保存されている図面３０を取得するために、情報検索システム１を用いることが可能である。それらの図面には、回路図、電気回路図、回路レイアウト図、油圧回路図、空圧回路図、ループ図、及びプロセスフロー図など、図式情報を含むことができる。
【００６１】
他の状況では、操作員は、同じく情報モジュール１６に保存されているデータシート４０を閲覧することを望む場合がある。図２では、図面３０及びデータシート４０を、別々の情報モジュール内に示している。しかしながら、図面及びデータシートを、同じ情報モジュールに保存することが可能であることは理解されるであろう。
【００６２】
種々の実施形態において、情報検索システム１は、制御システム１０の画面に表示されるハイパーリンクを操作員がクリックすることを可能としている。ハイパーリンクは、制御システム画面に表示されるデータアイテム（状態インディケーション）に隣接して表示される場合があり、又はそのようなデータアイテム自体である場合がある。例えば、制御システム画面に、アラームを表示することができ、さらに、そのアラームに関連付けられた入力及び／又は出力を表示することができる。それらの入力及び／又は出力はハイパーリンクされることができ、操作員がハイパーリンクをクリックすると、情報検索システムは、制御システムと通信するそのインタフェースを介して、そのアラームに関連付けられた情報を受信する。情報検索システム１は、入力及び／又は出力コンポーネントと図面３０又はデータシート４０との間のリンクに基づいて、情報モジュールから情報を検索して取得するように作動させられる。
【００６３】
より具体的な例では、操作員は、特定の入力／出力コンポーネントのリンクをクリックすることができる。そのコンポーネントは、識別子（場合によっては、インデックスと呼ばれる）を有し、その識別子は、制御システムとのインタフェース通信によって情報検索システムで受信される。コンポーネント識別子は、情報モジュール１６内の情報にリンクされている。その情報は、回路レイアウト図とすることができ、これを検索して、情報検索システムのユーザインタフェースに表示させる。
【００６４】
本発明の一つの重要な特徴は、情報検索システムに入力されるデータをセグメント化することが可能であることである。典型的には、その情報は、おそらくは制御システムのセットアップとともに情報検索システムがセットアップされるときに、さらに場合によってはプラントの残りの一部又はすべてがセットアップされるときに、入力される。セグメント化とは、比較的大きな情報を、より小さな情報に分割することを意味し、その各々は、特定の入力及び／又は出力コンポーネント、プロセス、設備品などに関連したものであって、そのセグメント化された情報を、関連したアイテムにリンクさせることによって、関連付けることが可能である。一例では、保存される情報は、大きな図面であり得るが、その図面のほんの一部のみが、アラーム又は他の状態インディケーションを生成するプラント部分に関連している。一実施形態では、セグメント化は、図面のうちの関連部分又は最も関連した部分のみが、情報検索システムによる検索で取得されて、操作員に表示されることが可能であるように、情報をシステムに入力することである。これには、操作員が対処しようとしている問題に関して、過多かつ不適切なデータ又は情報によって操作員が混乱及び／又は困惑することがないという重要な利点がある。
【００６５】
セグメント化は、情報検索システム又はプラント全体のセットアップの際に、要求又は規定に応じて実施することが可能であることは理解されるであろう。一般的に、直接関連性があるように情報をよりセグメント化するほど、情報検索システムは、問題に関連した又は最も関連したその情報のみを提供することになるので、その効率はより高くなる。例えば、ある１つのドキュメント（マルチページドキュメントであっても、又は単なる非常に大きなドキュメントであってもよい）が多数の図面（例えば、回路図）を有していることがあり、そのドキュメントからの情報を複数の個別の回路図に分けるように、セグメント化を実施することが可能である。あるいは、１つの回路図を様々なコンポーネント部分に分解することによって、より細かいレベルの詳細を示すように、セグメント化を実施することが可能であり、この場合、１つの図面のコンポーネント部分はそれぞれ、プラントの特定の部分にリンクされている。おそらく、全体回路図は、プラント内の特定の設備品に関連付けられた入力及び／又は出力についての回路の概念レイアウトを示している。しかしながら、ある所与の入力には、全体回路図のほんの一部のみが関連している。そのような状況では、情報検索システムにおいて、その所与の入力に関連したその図面部分のみが、その入力にリンクされるように、情報をセグメント化することが可能である。その入力に関連した状態インディケーションが制御システムのインタフェースで表示されると、回路図のその部分がセグメント化でその入力にリンクされていることから、操作員は、その部分のみを検索して取得するように情報検索システムを操作することが可能である。
【００６６】
他の実施形態では、各コンポーネントは、そのコンポーネントを関連する保存情報に関連付けるために情報検索システムにおいて用いることができる固有の識別子を有する。プラント内のアイテムはいずれも、それを、より大きなドキュメント又はより大きな情報からセグメント化された関連情報にリンクさせることが可能であるように、そのような固有の識別子を有し得ることは理解されるであろう。
【００６７】
情報モジュールに保存される図式情報又はドキュメントは、マルチページドキュメントである場合がある。この場合、入力コンポーネント識別情報と情報モジュールに保存される情報とのリンク付けは、さらに、マルチページドキュメントの特定のいくつかのページのみが情報検索システムのユーザインタフェースに表示されるように規定されることができる。さらに、リンク付けは、ドキュメントのページからの一部のみが情報検索システムのユーザインタフェースに表示されるように規定されることができる。これは、そのページに表示される多くの入力及び出力コンポーネントを伴って、そのページに複雑な回路図が記載されている場合に有用である。入力及び／又は出力コンポーネントと、情報モジュール内の入力及び／又は出力コンポーネントに関する情報とを、このように直接リンク付けすることによって、誤アラームの原因である障害を特定しようとする際に多くの時間を節約することが可能である。大きなドキュメント又はマルチページドキュメントの部分を選択するようなリンク付けは、関連した又は最も関連した情報が情報検索システムによって操作員に提供されるように情報をセグメント化するという一例を構成している。
【００６８】
他の実施形態では、情報検索システム１は、制御システム１０によって生成されたステータスインディケーションに関連付けられた情報を受信するように作動させられる。このようなステータスインディケーションは、例えば、工場又はプラント内のプロセス及び／又は設備についての負荷情報を含み得る。他の例では、ステータスインディケーションは、プルコードスイッチに関連している場合があり、それが正常状態であるか、又はトリップ状態であるかを示している（これについての図示例として図４Ｄを参照）。ステータスインディケーションは、プロセス条件又は実際の入力、又は例えば「緊急停止」若しくは「リミットスイッチ」である出力コンポーネントから導出することができる。制御システムの操作員は、制御システムのコンピュータ画面上でステータスインディケーション情報を閲覧することが可能であり、このとき、ステータスインディケーションが、例えば「トリップ状態」を示している場合には、操作員は、「トリップ状態」インディケータに隣接した位置にあり得るハイパーリンクをクリックすることが可能である。ハイパーリンクは、制御システムと通信する情報検索システムのインタフェースを介してコマンドを送信し、これにより、情報検索システムは、そのステータスインディケーションに関連付けられた情報を、情報モジュールから検索して取得することが可能である。ステータスインディケーションは、図式情報のいくつかのドキュメントにリンクされていることがあり、さらには、いくつかのデータシートにリンクされていることもある。情報検索システムは、それらのリンクを用いて、情報モジュールから情報を検索して取得するとともに、ユーザインタフェースを介してその情報を出力し、これにより、操作員は、ステータスインディケーションに関連付けられた直接関連した情報を容易に確認することが可能である。
【００６９】
情報検索システム１は、情報出力手段を備える。情報出力手段は、情報検索システムのユーザインタフェースを含むことができるが、しかし、情報出力手段は、プリンタのような物理的出力手段を含むこともできる。一実施形態では、操作員は、情報をユーザインタフェースに表示するのか、又はプリンタで印刷するのかを、選択することが可能である。当然のことながら、操作員は、両方の情報出力手段を選択してもよい。印刷された情報は、操作員が、工場若しくはプラント内の設備若しくはプロセスの検査に対応するため、又はその設備若しくはプロセスに関連付けられた入力及び／若しくは出力コンポーネントを検査するために、情報検索システム１及び制御システム１０のユーザインタフェースの直ぐ近くを離れる必要がある場合に、操作員にとって有用である。
【００７０】
さらに別の実施形態では、情報検索システムからの情報を、ラップトップコンピュータ又は携帯電話機のようなモバイルコンピューティングデバイスに出力することが可能である。これにより、操作員は、工場又はプラント中を自由に動き回りつつ、関連情報を手元に保持することが可能となる。これは、石油精製所、採掘施設、又は大規模工場のように、工場又はプラントが極めて大型である場合に、特に有用であり得る。
【００７１】
情報検索システム１の情報モジュール１６は、さらに、工場又はプラントのプロセス及び／若しくは設備に関する情報を格納することもできる。これにより、操作員は、制御システム１０に接続された入力及び／又は出力コンポーネントに関する具体的情報に併せて、そのような情報に容易にアクセス可能であるという、さらなる効果が得られる。
【００７２】
図３は、一実施形態の情報検索システム１を用いて制御システム１０を操作するための例示的なプロセスを示すフロー図５０である。この例示的なプロセスでは、アラーム１２が、制御システム画面に表示される。第１の判定ポイント５２で、操作員又はシステムによって、アラーム状態が真（真のアラーム）であるか偽であるか判定する。真である場合には、通常の手順に従って、操作員は、障害を解決し、設備又はプロセスの保守及び／若しくは修理７８を実施するように努める。
【００７３】
図３において、アラーム状態が真でない（誤アラームである）場合には、その結論は、入力及び／又は出力コンポーネント、電気回路又は設備／センサに問題があるということになり、この場合、障害識別が必要となる。図３は、障害の解決、保守又は修理７８に至る従来の判定ポイント５４、５６、５８、６０、６２、６４、及び６６を有する従来の方法との比較を示している。これは、極めて手動的な問題解決方法であり、問題解決に関連した情報又はドキュメントを探し出すために、大量の未分類かつインデックス化されていない情報に目を通すのに多くの時間を要することが多い。情報が電子的に保存されているとしても、現在の問題のための的確なドキュメントを特定するのに多くの時間を浪費する可能性がある。図３は、さらに、情報検索システム１を用いることにより、処理ポイント７０、７２、７４、及び７６を経て、ポイント７８に至るプロセスも示している。図３のフロー図５０は、情報検索システム１を用いる障害識別方法よりも、従来の障害識別プロセスは複雑かつ時間を要することを明示する目的のものである。情報検索システムによって、的確なドキュメントの検索は、その情報を例えばアラームを生じさせる問題にリンクさせることによって自動化される。これは、操作員が、ドキュメントの多数のページ及び大きな図から手動で取捨選択する必要なく、略即座に必要な情報にアクセスできることを意味する。
【００７４】
従来の方法では、制御システム１０によって誤アラームが生成された場合には、その障害の箇所が既知であるかどうか判定し５６、既知である場合には、操作員は、図面セットを探し出して、的確な図面を特定することができる。障害の箇所が分からない場合には、操作員は、制御システム１０の診断ソフトウェアによって障害の箇所を見つけ出さなければならない５８。この従来の方法では、図面及び／又はデータシートは、その発見が難しいこと、インデックス化が不十分であること、カタログ化が不十分であること、欠落していることがあるため、多くの時間を要する可能性がある。本発明のセグメント化及びリンク付けを用いることで、状態インディケーションに関連付けられた関連情報又は最も関連した情報が検索で取得され、それを操作員に対して表示することが可能である。ポイント６０で的確な情報が発見されたら、ポイント６２で、設備又はセンサのドキュメントが必要であるかどうか判定する。このドキュメントは、施設内で、インターネットを介して、又は設備若しくはセンサのサプライヤを通して、発見することができる６４。このドキュメントの発見は、特にそのドキュメントが施設内にない場合に、やはり非常に時間を要する可能性がある。ドキュメントが特定された場合、又はドキュメントが必要ない場合には、ポイント６６で、操作員（又は関連した専門家）は、その障害が識別されたかどうか判定し、その後、適切な要員が、必要に応じて、障害の解決、又は保守及び／若しくは修理のために対応することが可能である７８。
【００７５】
これと比較して、情報検索システム１は、はるかに単純なプロセスを提供し、この場合、操作員は、例えば、画面上でアラームを選択して、ボタンをクリックすることが可能であり７０、これにより、関連したページの電子図面セットが開く。次に、設備又はセンサのドキュメントが必要かどうか判定することができる７２。必要である場合には、操作員は、設備又はセンサのドキュメントを検索して例えばデータシートで取得するために、電子図面上のハイパーリンクをクリックすることができる。そして、そのデータシートは、情報出力手段に表示される。次に、操作員又は関連した専門家は、障害が識別されたかどうか判定することができ７６、その後に続いて、必要に応じて、障害を解決し、保守及び／又は修理することができる７８。
【００７６】
図４は、情報検索システム１／制御システム１０のユーザインタフェースからのスクリーンショット例を示す図である。ウィンドウ表示は、いくつかの異なるアラーム１２に関連付けられた情報を示している。各アラームは、ウィンドウ内の番号付けされた行に表示されており、アラームに関連付けられたデータは、列に表示されている。列として、日付８０、時刻８２、ステータス８４、番号８６、クラス８８、タイプ９０、設備タグ９４、設備９８、ページ１００、入力及び／又は出力１及び２ １０２、ならびにメッセージテキスト１０４が含まれる。ウィンドウ１１０の一部が、囲まれており、そして明確にするために拡大されている。囲まれた部分は、行１８のアラームであり、これは、本例では、アラームに関連付けられたフローデータを有しており：日付８０は「２０１４年５月１４日」であり、時刻８２はおよそ２：３７ｐ．ｍ．であり、アラーム番号８６は「５６２」であり、クラス８８は「フィールド機器」であり、アラームタイプ９０は「障害」であり、設備タグ９４は「２１」であり、設備９８は「ＳＴＢＤトンネルコンベア」であり、本例ではページ１００は表示されておらず、入力／出力１ １０２は「Ｉ ２０１．５」であり、入力／出力２ １０２は「Ｍ３４．０」であり、そしてメッセージテキスト１０４は「プルコードスイッチ．．．」である。
【００７７】
制御システム／情報検索システムのウィンドウ１１０は、さらに、入力／出力１及び入力／出力２ １０２に関連したボタン９２を表示しており、操作員が、アラーム又は他の種類の状態インディケーションに関連付けられた行を選択すると、ボタン９２をクリックすることが可能となる。「１」と番号付けされたボタン９２がクリックされると、情報検索システムは、選択されたアラームに関連付けられた入力／出力１に関する情報を取得する。
【００７８】
さらに、制御システム１０／情報検索システム１のウィンドウには、ステータスインディケーションパネル９６が表示されており、これは、本例では、過負荷、最適負荷、及び無負荷など、負荷状況インディケーションを表示している。ステータスインディケーション９６は、さらにハイパーリンクされていることもあり、操作員がウィンドウ１１０のその領域をクリックすると、情報検索システム１は、その特定のステータスインディケーションに関連した情報を提供する。
【００７９】
図４に関して、別の実施形態では、入力／出力１及び入力／出力２ １０２に関連した２つのボタン９２を備える代わりに、１つのボタンを備え、これがクリックされると、図４Ａに示すように新規のウィンドウ２００が開く。このウィンドウ、ビュー、又は画面２００は、図４でその画面１１０のテーブルのハイライト表示されている行１８からのアラームに関連した情報を表示する。図４Ａの画面２００には、「５６２」であるアラーム番号８６が表示されており、これは、アラームの説明１０４「Ｓｔｂｄトンネルコンベア − プルコードスイッチ − ＳＴＢＤ ＦＷＤ トリップ状態」と共に、テーブルの最上部に向かって表示されている。ストリーム２００のメインテーブルは、アラームに関する情報を表示しており、本例では、最上行２０１にエントリを１つのみ有している。メインテーブルは、このアラームに関連付けられた情報を示しており、これは、「１」２０３である「アラーム要素」２０２；「ＤＩ０２１４」２０５である「Ｉ／Ｏインデックス」２０４；「２１ＬＹＨＹ２」２０７である「タグ」２０６；「Ｉ ２０１．５」２０９である「Ｉ／Ｏアドレス」２０８；及び、「Ｓｔｂｄトンネルコンベア − プルコードスイッチ − ＳＴＢＤ ＦＷＤ：正常状態」２１１である「説明」２１０、を含んでいる。このとき、メインテーブルは、情報検索システム１で利用できる情報を表示しており、それは、本例では、「電気回路図」２１４、「油圧回路図」２１６、「空圧回路図」２１８、及び「その他のドキュメント」２２０を含んでいる。これらの情報を情報検索システムで利用できる場合には、その下にボタンが表示される。本例では、電気回路図２１４のみを利用できるので、その下に「クリックして表示」ボタン２１５が表示されている。その情報を利用できない場合、テーブルには、その情報が利用できないことを示すために、単に「Ｎ／Ａ（利用不可）」２１７、２１９、２２１と表示される。
【００８０】
画面には、さらに、アラームのコンテキストに関する情報が、画面の最上部に向かって領域２２２及び２２４に表示されている。
【００８１】
操作員は、アラームに関連した情報の閲覧を望む場合には、「クリックして表示」ボタン２１５を作動させることが可能であり、これにより、図４Ｂに示すように、画面、ウィンドウ、又はビュー３００を表示させる。この画面は、番号「１」２０３である「アラーム要素」２０２に関する要約情報である行３０２を表示しており、これは、このアラームに関連付けられた入力及び／又は出力に関する情報を表示している。本例では、その情報は、プルコードスイッチの入力に関連している。操作員は、「クリックして表示」ボタン２１５を作動させることが可能であり、これにより、図４Ｃに示すように、すべての利用可能な「電気回路図」２１４を識別する情報をアイテムごとに示すテーブル４０２を有する、ウィンドウ、画面、又はビュー４００を表示させる。テーブル４０２は、本例ではアイテム「１」４０５及び「２」４０６を含む「アイテム」４０４；図面番号「Ｅ−２２２」４０８及び「Ｅ−２２２」４０９である「図面ＮＯ．」４０７；「３」４１１及び「５」４１２であるシート番号「ＳＨＴ」４１０；「Ｅ１１」４１４及び「Ｇ９」４１５であるリファレンス「ＲＥＦ．」４１３、を表示する列を有する。テーブル４０２は、さらに、それぞれの電気回路図について「１Ｃ」４２０、４２１であるリビジョン「ＲＥＶ」４１９と共に、「ＳＴＢＤ トンネル ホールド１ − リモートパネルＰＬＣシステム（２）」４１７及び「ＳＴＢＤ トンネル ホールド１ − 安全回路」４１８である「図面の説明」４１６を表示している。
【００８２】
画面４００のテーブル４０２は、さらに、「クリックして表示」ボタン４３０、４３２を有し、これを操作員が作動させると、その特定の電気回路図が表示され、これは、情報検索システム１によって、アラーム８６及び関連したプルコードスイッチの入力にリンクされている。コンピュータ画面上でわずかな数のボタンをクリックすることによって、操作員は、直接関連した情報を利用することができ、これは、そのアラームに直接関連するように、セグメント化されて、この特定のアラーム番号「５６２」及び関連した入力及び／又は出力にリンクされていることは理解されるであろう。アラームに関連した情報を特定しようと、大量のドキュメントから取捨選択する従来の手動的な方法と比較して、時間が大幅に節約される。
【００８３】
図４Ｄは、制御システム１０の例示的な画面５００を示している。場合によって、操作員は、プラント内の特定のアイテム又はコンポーネントに関する情報を、そのコンポーネントに関連した制御システムからのアラームが発生していなくても、知りたいことがある。例えば、操作員は、ポートコンベア５１０も描かれているコンベア５０６の図面に示されているような、Ｓｔｂｄコンベアベルト５０８上のプルコードスイッチ５１２に関連した情報に関心がある場合がある。
【００８４】
制御システム１０の表示画面５００は、コンベアシステム５０６全体に関する情報又はシステムの個々のコンポーネントに関する情報を表示するボックス５２０と共に、画面の最上部５０２及び最下部５０４にも情報を含んでいる。
【００８５】
操作員は、プルコードスイッチ５１２に関する情報を望む場合には、画面５００上でプルコードスイッチ５１２の描写上又はその描写と共に表示されたハイパーリンク又はボタンを作動させることが可能である。そのハイパーリンク又はボタンを作動させることによって、図４Ｃに示すような画面４００が表示され、そこで、操作員は、プルコードスイッチ５１２に関連した「電気回路図」２１４を表示させるために、「クリックして表示」ボタン４３０又は４３２を作動させることが可能である。これに関して、システム又はプラント内のコンポーネントに関する情報を検索して取得するために、アラームの発生は必要ではなく、操作員は、他の目的で、そのような情報を検索することに単に関心があるにすぎない場合があることは理解されるであろう。これには、情報検索システム１が、その情報をセグメント化して、関心対象のコンポーネント（本例では、プルコードスイッチ５１２）にリンクさせているという利点がある。他の実施形態では、操作員がプルコードスイッチのハイパーリンク又はボタンを作動させると、情報検索システム１は、図４Ｂに示すような画面３００を表示する。その後、操作員は、図４Ｃに示すような画面４００を得るために、画面３００上のボタン２１５を用いることができ、次に、関連図面を検索して取得するために、その画面上のボタン４３０、４３２を用いることができる。
【００８６】
図５は、ウィンドウ１１０の詳細を示している。図５の左端のパネルでは、ボタン９２の「１」が選択されており、これにより、画面上にツールチップ１１２が表示される。本例では、アラーム番号８６「５６２」に関連した行１８を、操作員がハイライト表示させている。このとき、操作員は、入力／出力１ １０２「Ｉ ２０１．５」に関する情報を検索するために、ボタン９２の「１」をクリックする。入力／出力「Ｉ ２０１．５」に関する情報は、回路図、コンポーネント図などを含み得る。情報は、さらに、データシートを含むこともある。関連情報は、情報検索システム１の情報出力手段によって、操作員に直ちに表示される。
【００８７】
あるいは、図５に示すように、操作員は、入力／出力２ １０２に関するドキュメントを表示させるために、ボタン９２の「２」を選択することができる。
【００８８】
図６は、情報検索システム１によって検索して表示させることが可能な情報の例を示している。この例では、情報は、図面（回路図）１２０である。この図面は、様々な入力／出力コンポーネント１２２に関する情報を含んでいる。関心対象の入力／出力コンポーネント１２２は、「Ｉ ２０１．５」であり、これを丸で囲んで、詳細に表示している。
【００８９】
一実施形態では、関心対象の入力／出力コンポーネント１２２に関連した図面１２０の部分を、動的にハイパーリンクさせることができ、操作員は、そのハイパーリンクをクリックして、関心対象の入力／出力コンポーネントに関するデータシート及びその他の情報を表示させることが可能である。
【００９０】
図７は、デジタル入力／出力のステータスインディケーション１２８の画面表示例を示している。ステータスインディケーションは、説明カードを有するテキストボックス１３０を含んでいる。図７は、ステータスインディケータ１３４の例を、関連付けられたアドレス１３６（本例では「Ｉ１００．０」）と共に示している。ステータスインディケータをクリックすると、情報検索システム１は、その入力／出力が表示された電気回路図を開く。
【００９１】
図８は、アナログ入力／出力のステータスインディケーション１４０を示している。このステータスインディケーションは、説明カードを有するテキストボックス１４２を有する。
【００９２】
アナログチャネル情報１４６が、いくつかの行で表示されており、チャネル情報をクリックすると、情報検索システム１は、例えば、そのチャネルが表示された関連電気回路図を開くように作動する。
【００９３】
アナログチャネル情報１４６の列として、チャネルアドレス１４８、チャネルタイプ１５０、接続された信号の物理値１５２、物理値の単位１５４、生値１５６、及びチャネルの説明１５８、が含まれる。
【００９４】
情報検索システム１は、さらに、例えば、入力及び出力コンポーネントに関する情報を情報モジュールに入力するための情報入力モジュールを備えることができる。情報入力モジュールは、スキャナを含むことができ、これを、電気回路図、コンポーネント図などをスキャンインするために用いることが可能であり、又は特定の入力又は出力コンポーネントに関連付けられたデータシートをスキャンインすることが可能である。
【００９５】
情報検索システム１は、さらに、リンク付け情報入力モジュールを備えることができる。リンク付け情報入力モジュールは、保存される情報を１つ以上のアラームにリンクさせるため、及び／又は図式情報をデータシート情報にリンクさせるため、及び／又は保存される情報をステータスインディケーションにリンクさせるために用いられる。このリンク付け情報は、情報検索システムによって、操作員が、例えば、制御システム１０の画面上のハイパーリンクをクリックすることでアラーム又はステータスインディケーションに関する関連情報を情報検索システムに検索させることを可能とするために、用いられるものである。
【００９６】
本明細書及び添付の請求項を通して、文脈上別段の解釈を要する場合を除き、「ｃｏｍｐｒｉｓｅ（備える）」という表現、ならびに「ｃｏｍｐｒｉｓｅｓ」及び「ｃｏｍｐｒｉｓｉｎｇ」のような変化形は、記載の完全体若しくはステップ又は完全体群若しくはステップ群を含むが、他の完全体若しくはステップ又は完全体群若しくはステップ群をいずれも除外しないことを意味するものと理解される。
【００９７】
本明細書における先行技術の参照はいずれも、その先行技術が共通の一般的知識の一部をなすことを認めるもの、又はそのことを何らかの形で示唆するものと、解釈されるものではなく、また、解釈されるべきではない。
【図１】
2017528781.tif 000003
【図２】
2017528781.tif 000004
【図３】
2017528781.tif 000005
【図４】
2017528781.tif 000006
【図４Ａ】
2017528781.tif 000007
【図４Ｂ】
2017528781.tif 000008
【図４Ｃ】
2017528781.tif 000009
【図４Ｄ】
2017528781.tif 000010
【図５】
2017528781.tif 000011
【図６】
2017528781.tif 000012
【図７】
2017528781.tif 000013
【図８】
2017528781.tif 000014
【手続補正書】
【提出日】平成28年3月23日(2016.3.23)
【手続補正１】
【補正対象書類名】明細書
【補正対象項目名】全文
【補正方法】変更
【補正の内容】
【発明の詳細な説明】
【技術分野】
【０００１】
本発明は、情報検索システム及び情報検索方法に関するものである。このシステム及び／又は方法は、特に、監視制御・データ収集（ＳＣＡＤＡ）システム、プログラマブルロジックコントローラ（ＰＬＣ）、又は分散制御システム（ＤＣＳ）のような、制御システムに有用であり得る。さらに、この情報検索システム及び／又は方法は、特に、制御システムにおける障害識別を支援するために有用であり得る。
【背景技術】
【０００２】
ＳＣＡＤＡ、ＰＬＣ、及びＤＣＳタイプのシステムのような制御システムは、製造、採掘などのような大規模な工場又はプラントにおける設備及びプロセスを監視及び制御するために用いられる。制御システムによって、操作員は、設備及び／又はプロセスで何が起こっているのかを、多くの場合、簡略図表形式で、通常はリアルタイムで、容易に概観することが可能となる。制御システムは、アラーム監視システム、及び監視システムと呼ばれることもある。
【０００３】
制御システムは、船舶航行に用いられるときには、場合によって、船舶監視システム、主機関監視システム、バラスト（制御）システム、パワーマネージメントシステムなどと呼ばれることがある。制御システムは、様々な分野及び産業における多数の用途がある。
【０００４】
設備又はプロセスに障害が発生した場合、又は最適能力で機能していない場合には、制御システムは、アラームを送出するように作動させられて、そのアラームを操作員が受け取ることで、操作員は、アラームの原因である問題の解決のために対応することが可能である。
【０００５】
（主に）電気的問題の障害発見は、極めて大きな時間を要することが多い。これは、工場又はプラントの多大なダウンタイムにつながり、これによって、非常にコストがかかる可能性がある。障害解決プロセスは、一つの見方によれば、障害の箇所及び本質の特定、ならびに障害の解決：という２つの部分に分けることができる。
【０００６】
障害の解決は、通常、かなり迅速に済むが、障害の箇所及び本質を特定するのに要する時間は、いくつかの例において、およそ１５分間から数日間まで、様々である。障害の箇所及び本質を特定するための実際の時間は、障害解決担当者のスキル、その担当者が利用できるツール、設備及び障害の複雑さ、によって異なる。多くの場合、障害発見プロセスを完了させるためには、多様な訓練が必要とされる。
【０００７】
組織によっては、障害及びその可能性のある解決策についての知識ベースを編成して、これを、障害の箇所及び本質の特定に要する時間を最小限に抑えるための手順と、併用している。この方法は、やはり、障害発見に携わる保守員の有効なスキルに大きく依存する。
【０００８】
この問題は、障害発見に要する時間を予測可能かつ再現可能な短時間に短縮するための所要レベルの情報及び指針を提供するために要求される（自動化システムの）高いカスタマイズレベルを理由として、これまでに解決されていない。
【発明の概要】
【発明が解決しようとする課題】
【０００９】
上述の問題を解決することは、障害の箇所及び本質を特定することに対処するための解決策の一部をそれぞれ含むエンティティ間に論理的又はロジスティックなリンクがないため、さらに複雑である。各々のエンティティは、通常、別々のベンダのツールによって作成される。
【００１０】
現在のところ、制御システムにおけるほとんど又はすべてのアラーム状態は、制御システムの制御画面（例えば、ＳＣＡＤＡシステムの画面又はインタフェース）に表示される。通知されるアラーム（この場合は、真のアラーム）は、高温若しくは高レベル、低速回転、ならびに、工場、プラントなどで発生する可能性がある他のそのようなプロセス及び／又は設備の問題のような、解決の必要があるプロセス又は設備の問題を操作員に知らせる目的のものである。この種の解決アクションは、通常、操作員又は保守員の能力で対処できる範囲内である。
【００１１】
アラーム状態は、ケーブル及びワイヤによって制御システムに接続されたセンサ又はコンタクトによって生成されるが、それらのセンサ、コンタクト、ワイヤ、ケーブル、又はそれらの接続の障害が定期的に発生する。そのような状況では、存在しない（誤アラームであり得る）障害状態が発生することになり、解決の実施を可能とするには、その前に、その障害の箇所を特定することが必要となる。このような状況は、前述のように、障害の箇所及び本質を特定するのに長時間を費やすことにつながる。通常、この種の問題の原因を特定するのは、例えば、プロセス又は設備の問題の場合に比べてはるかに困難である。
【００１２】
制御システム、入力コンポーネント、出力コンポーネント、ならびに／又はワイヤ及び他のアイテムでの接続における問題の障害発見には、通常、障害の箇所及び本質を特定するためにスキルと専門知識又は勘との組み合わせを利用する１名以上の要員が必要となる。
【００１３】
通常、障害発見プロセスは、以下のステップを伴う：
（１）通知されたアラームの解析により、そのアラームがいかにして生成されたのかを、ひいては、制御システムのどの入力及び出力がこのアラームに関連付けられているのかを、特定する。これは、工場又はプラントであるその施設で利用できることも利用できないこともある専門知識及びツールを必要とすることが多い。このステップは、非常に時間を要するプロセスであり得る；
（２）関連した図面（群）を、ハードコピー又はソフトコピーで特定する。これらの図面は、その施設で入手できるものであり得るが、施設外のものであってもよい。このステップの所要時間は、図面の入手可能性、図面が良好にインデックスされているかどうか、保守員が設備及びドキュメンテーションをどれほど熟知しているか、によって異なり、さらに、ドキュメントが適切にカタログ化及び保存されているかどうかといったファクタにも依存し得る；
（３）データシート形式で、センサなどの設備についての追加情報が必要となることが多い。ステップ２のプロセスと同様に、その所要時間は、データシートの入手可能性、インデックス化、カタログ化、熟知度などのファクタに依存する；さらに、
（４）ステップ１、２、及び／又は３を完了した場合にのみ、プロセス及び／若しくは設備、又は入力及び／若しくは出力コンポーネント及び／若しくは制御システムの、実際の障害発見、識別、及び解決を開始させることが可能である。
【課題を解決するための手段】
【００１４】
一態様では、本発明は、プロセス及び／又は設備品を有するプラントにおいて制御システムと共に用いるための情報検索システムを提供し、その制御システムは、プロセス及び設備品を監視ならびに制御するために、少なくとも１つの入力コンポーネント及び／又は少なくとも１つの出力コンポーネントに接続されており、制御システムは、少なくとも１つの入力及び／又は出力コンポーネント；少なくとも１つのプロセス；少なくとも１つの設備品；制御システムの一部；又はプラントの一部：のうちの１つ以上から状態インディケーションを生成するように作動させられるものであり、この情報検索システムは：状態インディケーションを受信するために、制御システムと通信するインタフェース；入力コンポーネント、出力コンポーネント、プロセス、設備品、及びプラントに関する情報を保存するための情報モジュールであって、保存される情報は、状態インディケーションにリンクされているとともに、所与の状態インディケーションにリンクされた情報が、その所与の状態インディケーションに関連付けられた入力及び／又は出力コンポーネント；プロセス；設備品；制御システムの部分又はプラントの部分：のうちの１つ以上に関連性を持つように、保存される情報はセグメント化されている、情報モジュール；保存される情報を選択的にセグメント化するとともに、そのセグメント化された保存情報を１つ以上の状態インディケーションに選択的にリンクさせるための、セグメント化／リンク付けモジュール；及び、この情報検索システムを制御するためのユーザインタフェース；を備え、ユーザは、選択的にセグメント化された保存情報であって、受信された状態インディケーションにリンクされた保存情報を検索するために、ユーザインタフェースを操作することが可能である。
【００１５】
他の態様では、本発明は、プロセス及び／又は設備品を有するプラントにおいて情報を検索する方法を提供し、プロセス及び設備品を監視ならびに制御するために、少なくとも１つの入力コンポーネント及び／又は少なくとも１つの出力コンポーネントに制御システムが接続されており、その制御システムは、少なくとも１つの入力及び／又は出力コンポーネント、少なくとも１つのプロセス、少なくとも１つの設備品、制御システムの一部、又はプラントの一部、のうちの１つ以上から状態インディケーションを生成するように作動させられるものであり、情報検索システムは、状態インディケーションを受信するためのインタフェース、ならびに、入力コンポーネント、出力コンポーネント、プロセス、設備品、及びプラントに関する情報を保存するための情報モジュール、を有し、保存される情報は、状態インディケーションにリンクされているとともに、所与の状態インディケーションにリンクされた情報が、その所与の状態インディケーションに関連付けられた入力及び／又は出力コンポーネント、プロセス、設備品、制御システムの部分、又はプラントの部分、のうちの１つ以上に関連性を持つように、保存される情報はセグメント化されており、情報検索システムは、さらに、保存される情報を選択的にセグメント化するとともに、そのセグメント化された保存情報を１つ以上の状態インディケーションに選択的にリンクさせる、セグメント化／リンク付けモジュールに、作用的に接続されており、本方法は、制御システムと通信するユーザインタフェース上に、状態インディケーションに関連した１つ以上のインディケーションを受信すること、調査するための状態インディケーションを選択するようにユーザインタフェースを操作すること、その状態インディケーションを、専用の情報リクエストをなす伝送によって情報検索システムに伝送すること、少なくとも１つの入力及び／又は出力コンポーネント、少なくとも１つのプロセス、少なくとも１つの設備品、制御システムの一部、又はプラントの一部、のうちの１つ以上に関する保存情報のセグメントに関連した情報に各情報セグメントがリンクされるようにセグメント化された情報表示を受信すること、及び、その状態インディケーションに関連したセグメント化された関連情報を表示させるために１つ以上のリンクを選択することであって、これにより調査プロセスを支援すること、を含む。
【００１６】
他の態様では、本発明は、前段落に記載したような情報検索システムを用いて、制御システムについての情報を検索する方法を提供する。
【００１７】
一実施形態では、情報検索システムは、保存される情報を選択的にセグメント化するとともに、そのセグメント化された保存情報を１つ以上の状態インディケーションに選択的にリンクさせるための、セグメント化／リンク付けモジュールを備える。
【００１８】
他の実施形態では、保存される情報がマルチページドキュメントである場合には、そのセグメント化及びリンク付けは、状態インディケーションに関連した情報が記載されている１つ以上のページ番号を入力することをさらに含み、これにより、検索で取得された情報は、そのページ又はそれらのページのみを含むことになる。セグメント化及びリンク付けは、検索で取得された情報の少なくとも一部がハイライト表示されるように、情報を入力することをさらに含むことができる。
【００１９】
他の任意選択的な実施形態では、情報には、回路図；電気回路図；回路レイアウト図；油圧回路図；空圧回路図；ループ図；及びプロセスフロー図：のうちの１つ以上を含む図式情報が含まれる。情報には、さらに、データシートなどの非図式情報を含むこともできる。図式情報に示される少なくとも１つのコンポーネントが、そのコンポーネントに関する関連データシートに関連付けられている場合には、そのセグメント化及びリンク付けは、検索で取得された情報がその図式情報及び関連データシートを含むように、情報を入力することをさらに含む。それらの実施形態では、その少なくとも１つのコンポーネントは、保存される関連情報との関連付けのために入力される固有の識別情報を有する。
【００２０】
さらに別の実施形態では、ユーザインタフェースに状態インディケーションが表示されるときには、その状態インディケーションならびに関連する入力及び／又は出力はハイパーリンクされており、このハイパーリンクを作動させることによって、関連する保存情報が検索される。
【００２１】
さらに別の実施形態では、検索で取得された情報を、プリンタで印刷する、又は表示画面を備えた携帯電子機器に転送するなど、出力手段によって出力し、これにより、ユーザは、検索で取得された情報を、保守を実施する場所又はその近くで閲覧することが可能である。
【００２２】
さらに別の実施形態では、状態情報は、アラーム及び入力／出力ステータスインディケーションのうちの１つ以上を含む。
【００２３】
他の任意選択的な実施形態では、制御システムの入力及び出力コンポーネントとして、物理（システム）入力及び／又は出力、センサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータ：のうちのいずれか１つ以上が含まれる。
【００２４】
他の実施形態では、制御システムは、監視制御・データ収集（ＳＣＡＤＡ）システム；プログラマブルロジックコントローラ（ＰＬＣ）；又は、分散制御システム（ＤＣＳ）を含む。
【００２５】
任意選択的な実施形態では、ユーザインタフェースは、グラフィックディスプレイである。さらに、ユーザインタフェースは、制御システムのユーザインタフェースを含むこともできる。
【００２６】
任意選択的な一実施形態では、この情報検索システムは、制御システム内に組み込まれている。
【００２７】
一実施形態では、制御システムが、入力及び／若しくは出力コンポーネントならびに／又はプロセス及び／若しくは設備に関するステータスインディケーションも生成する場合には、情報検索システムの制御システムインタフェースは、ステータスインディケーションに関連付けられた情報を受信することが可能であり、情報モジュールの保存情報の少なくとも一部が、ステータスインディケーションにリンクされている。
【００２８】
他の実施形態では、入力及び出力コンポーネントに関する情報には、回路図、回路レイアウト図、油圧回路図、空圧回路図、ループ図、及びプロセスフロー図：のうちの１つ以上を含む図式情報が含まれ；さらにデータシートなどの非図式情報が含まれる。
【００２９】
さらなる実施形態では、図式情報に示される１つ以上のコンポーネントは、それらのコンポーネントに関するデータシートにリンクされており、これにより、ユーザは、図式情報を閲覧しているときに、データシートを出力させるように、ユーザインタフェースを介して情報検索システムを操作することが可能である。
【００３０】
さらに別の実施形態では、入力及び出力コンポーネントには、物理（システム）入力及び／又は出力、センサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータ：のうちのいずれか１つ以上が含まれる。
【００３１】
さらに別の実施形態では、情報出力手段には、グラフィックディスプレイ及びプリンタのいずれか又は両方が含まれる。
【００３２】
他の実施形態では、ユーザインタフェースは、グラフィックディスプレイである。ユーザインタフェースは、さらに、制御システムのユーザインタフェースを含むこともできる。
【００３３】
さらに別の実施形態では、この情報検索システムは、入力及び出力コンポーネントに関する情報を情報モジュールに入力するための情報入力モジュールをさらに備える。
【００３４】
さらに別の実施形態では、この情報検索システムは、保存される情報を１つ以上のアラームにリンクさせるため、及び／又は図式情報をデータシート情報にリンクさせるため、及び／又は保存される情報をステータスインディケーションにリンクさせるための、リンク付け情報入力モジュールをさらに備える。
【００３５】
任意選択的な一実施形態では、情報入力モジュール及びリンク付け情報入力モジュールは、コンピュータを含む。
【００３６】
さらに別の任意選択的な実施形態では、制御システムは、監視制御・データ収集（ＳＣＡＤＡ）システム、プログラマブルロジックコントローラ（ＰＬＣ）、又は、分散制御システム（ＤＣＳ）を含む。
【００３７】
さらなる任意選択的な実施形態では、入力又は出力コンポーネントに関する情報がマルチページドキュメントである場合には、アラーム又はステータスインディケーションへのリンク付けは、その入力又は出力コンポーネントに関連した情報が記載されているページ番号又はいくつかのページ番号に関する情報を含み、これにより、情報出力手段は、関連したページ又はいくつかのページのみを出力することになる。
【００３８】
他の実施形態では、アラームに関連付けられた１つ以上の入力及び／又は出力コンポーネントは、検索で取得された情報において動的にハイライト表示され、ステータスインディケーションに関連付けられた１つ以上の入力及び／又は出力コンポーネントは、検索で取得された情報において動的にハイライト表示される。
【００３９】
さらなる実施形態では、ユーザインタフェースにアラーム情報が表示され、そのアラーム情報はハイパーリンクされており、このハイパーリンクを作動させると、そのアラームの生成に関連した少なくとも１つの入力及び／又は出力コンポーネントに関する保存情報が、情報出力手段によって出力される。
【００４０】
さらに別の実施形態では、制御システムは、制御システムのユーザインタフェースに表示される少なくとも１つのステータスインディケーションを含み、そのステータスインディケーションはハイパーリンクされており、このハイパーリンクを作動させると、関連付けられた入力及び／又は出力コンポーネントに関する保存情報が、情報出力手段によって出力される。
【００４１】
任意選択的な一実施形態では、アラームの生成に関連した少なくとも１つの入力及び／又は出力コンポーネントがユーザインタフェースに表示され、その少なくとも１つの入力及び／又は出力コンポーネントはハイパーリンクされており、このハイパーリンクを作動させると、その少なくとも１つの入力及び／又は出力コンポーネントに関する保存情報が、情報出力手段によって出力される。
【００４２】
さらに別の実施形態では、図式情報に示される１つ以上のコンポーネントは、データシートにリンクされており、このハイパーリンクを作動させると、関連データシート又はデータシート群が表示される。
【００４３】
一実施形態では、この情報検索システムは、アラームが誤アラームであるかどうかを、そのアラームに関連付けられた入力及び／又は出力コンポーネントからの情報によって判定するための、障害判定モジュールをさらに備える。
【００４４】
さらに別の実施形態では、情報モジュールは、さらに、プロセス及び／又は設備に関する情報を保存する。
【００４５】
任意選択的な一実施形態では、プロセス及び／又は設備に関する情報には、回路図、回路レイアウト図、油圧回路図、空圧回路図、ループ図、及びプロセスフロー図：のうちの１つ以上を含む図式情報；ならびにデータシートなどの非図式情報が含まれる。
【００４６】
さらに別の実施形態では、プロセス及び／又は設備に関する情報は、ユーザインタフェースによってアクセス可能であり、情報出力手段によって出力することが可能である。
【００４７】
本発明の理解のため、さらには本発明がいかにして実施され得るのかを示すために、本発明の任意選択的な実施形態について、非限定的な例によって、添付の図面を参照して、以下で説明する。
【図面の簡単な説明】
【００４８】
【図１】情報検索システムと制御システムとが統合された、本発明の一実施形態の図である。
【図２】情報検索システムと制御システムとが分離された、本発明の他の実施形態の図である。
【図３】本発明の一実施形態における典型的な方法ステップを示すフロー図である。
【図４】本発明の一実施形態により、想定されるシナリオで表示される情報を示すスクリーンショット例の図である。
【図４Ａ】本発明の一実施形態により、想定されるシナリオで表示される情報を示すスクリーンショット例の図である。
【図４Ｂ】本発明の一実施形態により、想定されるシナリオで表示される情報を示すスクリーンショット例の図である。
【図４Ｃ】本発明の一実施形態により、想定されるシナリオで表示される情報を示すスクリーンショット例の図である。
【図４Ｄ】例示的な制御システム画面に表示される情報を示すスクリーンショット例の図である。
【図５】図４のスクリーンショットの詳細であって、他の情報へのリンクを提供するボタンである。
【図６】情報検索システム及び方法によって提供されるドキュメントの一例であり、さらに、そのドキュメントの詳細（丸で囲んだ部分）を示している。
【図７】デジタル入力／出力についてのステータス画面を表示するピクチャウィンドウの図である。
【図８】図７のものとは異なる、アナログ入力／出力についてのステータス画面を表示するピクチャウィンドウの図である。
【発明を実施するための形態】
【００４９】
本発明の情報検索システム及び方法によって、障害識別における以下のステップの自動化が可能となる：
（１）通知されたアラームの解析により、そのアラームがいかにして生成されたのかを、ひいては、制御システムのどの入力及び出力がこのアラームに関連付けられているのかを、特定する；
（２）関連した図面（群）を、ハードコピー又はソフトコピーで特定する；さらに、
（３）データシート形式で、センサなどの設備についての追加情報を提供し、さらに／又は、
（４）可変周波数駆動装置、トランスミッタ、トランスデューサなどの設備についての、構成、プログラム、及び／又はパラメータファイルの形で、追加情報を提供する。
【００５０】
この情報検索システム及び方法によって、さらに、専門知識、スキル、又はツールの必要性を制限若しくは解消することが可能となる。
【００５１】
図１を参照すると、制御システム１０に統合又は併合された情報検索システム１の実施形態を示している。制御システムは、アラーム番号を含むアラーム情報を有するアラーム１２を生成するための機構を含む。制御システムは、さらに、各アラームに関連付けられた入力及び出力情報を生成するための機構も含む。さらに、制御システムは、ステータスインディケーション（図１には示していない）を生成するための機構を有する。アラームならびに入力及び／又は出力ステータスインディケーションは、まとめて、状態情報と呼ぶことができ、これは、状態インディケーションで表示されるものであって、これにより、制御システム、プラント及びプロセス、ならびに／又は制御システムによって制御されるプラント内の設備品、の状態に関するフィードバックを操作員に与える。
【００５２】
情報検索システム１（この統合型２０のシステムではコンポーネントとも呼ばれる）は、制御システムによって生成されるアラームに関連付けられた情報を受信するために、制御システムと通信するインタフェースを含む。図１に示す実施形態では、情報検索システムは、アラーム番号及び入出力点リファレンスを受信する。
【００５３】
制御システムの操作員は、制御システムのユーザインタフェースから、状態インディケーションによって、ある設備及び／又はプロセスがアラーム状態にあることを知ることが可能である。制御システムのユーザインタフェースは、アラームならびに関連付けられた入力コンポーネント及び出力コンポーネントに関する様々な情報を表示することができる。一実施形態では、操作員は、情報モジュール１６から情報を検索して取得するための、情報検索システムのユーザインタフェースの操作のために、入力及び出力情報におけるハイパーリンクをクリックすることができる。本実施形態では、情報には、入力及び出力コンポーネントに関する技術情報を提供する各種図面３０が含まれる。その技術情報は、情報出力手段によって極めて容易に操作員に表示され、その情報出力手段は、視覚ディスプレイモニタとすることができるが、プリンタとすることも、又はその両方とすることも可能である。技術情報は、非常に迅速に提供され、制御システムにおける当該の入力／出力コンポーネント、設備及び／又はプロセスの問題の解決に直接関連している。
【００５４】
特に、制御システムからの状態インディケーションが、いずれかの設備又はプロセスの障害によってではなく、入力／出力コンポーネントの障害によってトリガされた場合に、情報検索システムによって、操作員は、関連したコンポーネントを特定することが可能となる。その情報には、回路図、電気回路図、回路レイアウト図、油圧回路図、空圧回路図、ループ図、及びプロセスフロー図：のうちの１つ以上を含む図式情報を含むことができる。さらに、情報には、データシートを含むことができる。
【００５５】
情報検索システムは、一部の実施形態では、コンポーネントに関連した情報を操作員が検索することを可能とするハイパーリンクを含み、この場合、その情報は、図式情報及び関連付けられたデータシート情報の両方である。他の実施形態では、図式情報は、それ自体が動的にハイパーリンクされることが可能であり、これにより、その図式情報に示された関連する入力及び／又は出力コンポーネント（かつ関連するもののみ）が、その対応するデータシートにそれぞれハイパーリンクされる。
【００５６】
図２は、図１に示すものとは異なる情報検索システムの実施形態を示しており、この場合、情報検索システム１は、制御システム１０から分離されている。情報検索システムと制御システムは、制御システムによって生成されるアラームに関連付けられた情報を受信するために制御システムと通信するインタフェース１１によって、リンクされている。図２に示す実施形態では、情報検索システム（情報検索コンポーネントとも呼ばれる）は、図面用情報検索コンポーネント１３及びデータシート用情報検索コンポーネント１５など、いくつかのコンポーネントを含む。情報検索システム１の操作員は、ユーザインタフェースを用いて、図面又はドキュメントタイプの選択１７をすることが可能である。ユーザインタフェースは、アクションの入力、表示、及び制御のためのウィンドウなどを表示するコンピュータ上のプログラムとして実装され得ることは理解されるであろう。さらに、情報検索システムのユーザインタフェース及び制御システムのユーザインタフェースは、同じコンピュータに実装して、同じコンピュータ画面に表示することが可能である。さらに、情報検索システムのユーザインタフェースにおいて実現されるコンピュータプログラムの様相は、制御システム１０の操作用のそのようなコンピュータプログラムの様相と同じコンピュータプログラムで実現することが可能である。情報検索システムを制御するためのコンピュータの様相は、制御システムに関するウィンドウなどとは別のウィンドウなどに表示され得る。
【００５７】
他の実施形態では、情報検索システム１は、遠隔から検索情報にアクセス可能であるように、クラウドベースの機能を備える。クラウドベースの機能によって、さらに、情報又は情報の一部を、設備又はプラントから遠隔のクラウドに保存することも可能となる。情報検索システムがクラウドベースの機能を備える場合には、例えばインターネットが利用できないときなどに、引き続き機能を提供するためのローカルコンポーネントを施設に備えることも可能である。
【００５８】
制御システム１０は、制御システムに接続された入力コンポーネント及び／又は出力コンポーネントから受信した情報又はデータに基づいて、アラーム又は他の状態インディケーションを生成する。入力及び出力コンポーネントとして、幅広く様々なタイプのセンサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータを含むことができる。入力及び出力コンポーネントとして、さらに、物理（システム）入力及び／又は出力を含むことができる。典型的には、入力及び／又は出力コンポーネントは、ケーブル又はワイヤによって制御システム１０に接続されている。
【００５９】
制御システム１０によって生成されるアラームには、例えば、設備品又はプロセスが、期待通り又は容認可能に機能していないという条件が、プロセス及び／又は設備において満たされる場合の、真のアラームが含まれ、この場合、その設備又はプロセスに関連付けられた入力及び／又は出力コンポーネントは、そのプロセス又は設備の異常状態を示すデータを制御システムに送信する。これは、制御システム１０が正常に機能しているとみなすことができ、これにより、操作員は、そのプロセス又は設備に対して調整又は修理を実施することが可能となる。場合によって、その調整又は修理は、制御システムを介して実施することが可能である。それ以外の場合は、設備又はプロセス自体に対して調整又は修理を実施しなければならない。
【００６０】
その他の状況として、工場又はプラント内の設備及び／若しくはプロセスは、想定される正常なパラメータの範囲内で動作し得るが、入力及び／又は出力コンポーネント自体に障害があることで、制御システムに誤アラームを生成させるようなデータが制御システム１０に送出されることが生じる可能性がある。このような誤アラームは、特に、制御システムに接続されている入力及び／又は出力コンポーネントが非常に多数であり得る場合には、検出及び解決が非常に困難である可能性がある。
【００６１】
例えば、入力センサが誤動作していることで、誤った温度測定値が制御システムに示されることがあり、その結果、制御システムは、設備品又はプロセスにおけるその温度が許容可能なパラメータ範囲外であることを示すアラームを生成する。この誤アラームによって、操作員は、プロセス又は設備自体に機能異常が発生していると信じ込むことがある。しかしながら、調査することによって、操作員は、実際には、プロセス又は設備には機能異常が発生していないことに気付くことがあり、次に操作員は、入力及び／又は出力に障害があるのではないかと疑うことになり得る。このような状況において、操作員は、情報モジュール１６に保存されている図面３０を取得するために、情報検索システム１を用いることが可能である。それらの図面には、回路図、電気回路図、回路レイアウト図、油圧回路図、空圧回路図、ループ図、及びプロセスフロー図など、図式情報を含むことができる。
【００６２】
他の状況では、操作員は、同じく情報モジュール１６に保存されているデータシート４０を閲覧することを望む場合がある。図２では、図面３０及びデータシート４０を、別々の情報モジュール内に示している。しかしながら、図面及びデータシートを、同じ情報モジュールに保存することが可能であることは理解されるであろう。
【００６３】
種々の実施形態において、情報検索システム１は、制御システム１０の画面に表示されるハイパーリンクを操作員がクリックすることを可能としている。ハイパーリンクは、制御システム画面に表示されるデータアイテム（状態インディケーション）に隣接して表示される場合があり、又はそのようなデータアイテム自体である場合がある。例えば、制御システム画面に、アラームを表示することができ、さらに、そのアラームに関連付けられた入力及び／又は出力を表示することができる。それらの入力及び／又は出力はハイパーリンクされることができ、操作員がハイパーリンクをクリックすると、情報検索システムは、制御システムと通信するそのインタフェースを介して、そのアラームに関連付けられた情報を受信する。情報検索システム１は、入力及び／又は出力コンポーネントと図面３０又はデータシート４０との間のリンクに基づいて、情報モジュールから情報を検索して取得するように作動させられる。
【００６４】
より具体的な例では、操作員は、特定の入力／出力コンポーネントのリンクをクリックすることができる。そのコンポーネントは、識別子（場合によっては、インデックスと呼ばれる）を有し、その識別子は、制御システムとのインタフェース通信によって情報検索システムで受信される。コンポーネント識別子は、情報モジュール１６内の情報にリンクされている。その情報は、回路レイアウト図とすることができ、これを検索して、情報検索システムのユーザインタフェースに表示させる。
【００６５】
本発明の一つの重要な特徴は、情報検索システムに入力されるデータをセグメント化することが可能であることである。典型的には、その情報は、おそらくは制御システムのセットアップとともに情報検索システムがセットアップされるときに、さらに場合によってはプラントの残りの一部又はすべてがセットアップされるときに、入力される。セグメント化とは、比較的大きな情報を、より小さな情報に分割することを意味し、その各々は、特定の入力及び／又は出力コンポーネント、プロセス、設備品などに関連したものであって、そのセグメント化された情報を、関連したアイテムにリンクさせることによって、関連付けることが可能である。一例では、保存される情報は、大きな図面であり得るが、その図面のほんの一部のみが、アラーム又は他の状態インディケーションを生成するプラント部分に関連している。一実施形態では、セグメント化は、図面のうちの関連部分又は最も関連した部分のみが、情報検索システムによる検索で取得されて、操作員に表示されることが可能であるように、情報をシステムに入力することである。これには、操作員が対処しようとしている問題に関して、過多かつ不適切なデータ又は情報によって操作員が混乱及び／又は困惑することがないという重要な利点がある。
【００６６】
セグメント化は、情報検索システム又はプラント全体のセットアップの際に、要求又は規定に応じて実施することが可能であることは理解されるであろう。一般的に、直接関連性があるように情報をよりセグメント化するほど、情報検索システムは、問題に関連した又は最も関連したその情報のみを提供することになるので、その効率はより高くなる。例えば、ある１つのドキュメント（マルチページドキュメントであっても、又は単なる非常に大きなドキュメントであってもよい）が多数の図面（例えば、回路図）を有していることがあり、そのドキュメントからの情報を複数の個別の回路図に分けるように、セグメント化を実施することが可能である。あるいは、１つの回路図を様々なコンポーネント部分に分解することによって、より細かいレベルの詳細を示すように、セグメント化を実施することが可能であり、この場合、１つの図面のコンポーネント部分はそれぞれ、プラントの特定の部分にリンクされている。おそらく、全体回路図は、プラント内の特定の設備品に関連付けられた入力及び／又は出力についての回路の概念レイアウトを示している。しかしながら、ある所与の入力には、全体回路図のほんの一部のみが関連している。そのような状況では、情報検索システムにおいて、その所与の入力に関連したその図面部分のみが、その入力にリンクされるように、情報をセグメント化することが可能である。その入力に関連した状態インディケーションが制御システムのインタフェースで表示されると、回路図のその部分がセグメント化でその入力にリンクされていることから、操作員は、その部分のみを検索して取得するように情報検索システムを操作することが可能である。
【００６７】
他の実施形態では、各コンポーネントは、そのコンポーネントを関連する保存情報に関連付けるために情報検索システムにおいて用いることができる固有の識別子を有する。プラント内のアイテムはいずれも、それを、より大きなドキュメント又はより大きな情報からセグメント化された関連情報にリンクさせることが可能であるように、そのような固有の識別子を有し得ることは理解されるであろう。
【００６８】
情報モジュールに保存される図式情報又はドキュメントは、マルチページドキュメントである場合がある。この場合、入力コンポーネント識別情報と情報モジュールに保存される情報とのリンク付けは、さらに、マルチページドキュメントの特定のいくつかのページのみが情報検索システムのユーザインタフェースに表示されるように規定されることができる。さらに、リンク付けは、ドキュメントのページからの一部のみが情報検索システムのユーザインタフェースに表示されるように規定されることができる。これは、そのページに表示される多くの入力及び出力コンポーネントを伴って、そのページに複雑な回路図が記載されている場合に有用である。入力及び／又は出力コンポーネントと、情報モジュール内の入力及び／又は出力コンポーネントに関する情報とを、このように直接リンク付けすることによって、誤アラームの原因である障害を特定しようとする際に多くの時間を節約することが可能である。大きなドキュメント又はマルチページドキュメントの部分を選択するようなリンク付けは、関連した又は最も関連した情報が情報検索システムによって操作員に提供されるように情報をセグメント化するという一例を構成している。
【００６９】
他の実施形態では、情報検索システム１は、制御システム１０によって生成されたステータスインディケーションに関連付けられた情報を受信するように作動させられる。このようなステータスインディケーションは、例えば、工場又はプラント内のプロセス及び／又は設備についての負荷情報を含み得る。他の例では、ステータスインディケーションは、プルコードスイッチに関連している場合があり、それが正常状態であるか、又はトリップ状態であるかを示している（これについての図示例として図４Ｄを参照）。ステータスインディケーションは、プロセス条件又は実際の入力、又は例えば「緊急停止」若しくは「リミットスイッチ」である出力コンポーネントから導出することができる。制御システムの操作員は、制御システムのコンピュータ画面上でステータスインディケーション情報を閲覧することが可能であり、このとき、ステータスインディケーションが、例えば「トリップ状態」を示している場合には、操作員は、「トリップ状態」インディケータに隣接した位置にあり得るハイパーリンクをクリックすることが可能である。ハイパーリンクは、制御システムと通信する情報検索システムのインタフェースを介してコマンドを送信し、これにより、情報検索システムは、そのステータスインディケーションに関連付けられた情報を、情報モジュールから検索して取得することが可能である。ステータスインディケーションは、図式情報のいくつかのドキュメントにリンクされていることがあり、さらには、いくつかのデータシートにリンクされていることもある。情報検索システムは、それらのリンクを用いて、情報モジュールから情報を検索して取得するとともに、ユーザインタフェースを介してその情報を出力し、これにより、操作員は、ステータスインディケーションに関連付けられた直接関連した情報を容易に確認することが可能である。
【００７０】
情報検索システム１は、情報出力手段を備える。情報出力手段は、情報検索システムのユーザインタフェースを含むことができるが、しかし、情報出力手段は、プリンタのような物理的出力手段を含むこともできる。一実施形態では、操作員は、情報をユーザインタフェースに表示するのか、又はプリンタで印刷するのかを、選択することが可能である。当然のことながら、操作員は、両方の情報出力手段を選択してもよい。印刷された情報は、操作員が、工場若しくはプラント内の設備若しくはプロセスの検査に対応するため、又はその設備若しくはプロセスに関連付けられた入力及び／若しくは出力コンポーネントを検査するために、情報検索システム１及び制御システム１０のユーザインタフェースの直ぐ近くを離れる必要がある場合に、操作員にとって有用である。
【００７１】
さらに別の実施形態では、情報検索システムからの情報を、ラップトップコンピュータ又は携帯電話機のようなモバイルコンピューティングデバイスに出力することが可能である。これにより、操作員は、工場又はプラント中を自由に動き回りつつ、関連情報を手元に保持することが可能となる。これは、石油精製所、採掘施設、又は大規模工場のように、工場又はプラントが極めて大型である場合に、特に有用であり得る。
【００７２】
情報検索システム１の情報モジュール１６は、さらに、工場又はプラントのプロセス及び／若しくは設備に関する情報を格納することもできる。これにより、操作員は、制御システム１０に接続された入力及び／又は出力コンポーネントに関する具体的情報に併せて、そのような情報に容易にアクセス可能であるという、さらなる効果が得られる。
【００７３】
図３は、一実施形態の情報検索システム１を用いて制御システム１０を操作するための例示的なプロセスを示すフロー図５０である。この例示的なプロセスでは、アラーム１２が、制御システム画面に表示される。第１の判定ポイント５２で、操作員又はシステムによって、アラーム状態が真（真のアラーム）であるか偽であるか判定する。真である場合には、通常の手順に従って、操作員は、障害を解決し、設備又はプロセスの保守及び／若しくは修理７８を実施するように努める。
【００７４】
図３において、アラーム状態が真でない（誤アラームである）場合には、その結論は、入力及び／又は出力コンポーネント、電気回路又は設備／センサに問題があるということになり、この場合、障害識別が必要となる。図３は、障害の解決、保守又は修理７８に至る従来の判定ポイント５４、５６、５８、６０、６２、６４、及び６６を有する従来の方法との比較を示している。これは、極めて手動的な問題解決方法であり、問題解決に関連した情報又はドキュメントを探し出すために、大量の未分類かつインデックス化されていない情報に目を通すのに多くの時間を要することが多い。情報が電子的に保存されているとしても、現在の問題のための的確なドキュメントを特定するのに多くの時間を浪費する可能性がある。図３は、さらに、情報検索システム１を用いることにより、処理ポイント７０、７２、７４、及び７６を経て、ポイント７８に至るプロセスも示している。図３のフロー図５０は、情報検索システム１を用いる障害識別方法よりも、従来の障害識別プロセスは複雑かつ時間を要することを明示する目的のものである。情報検索システムによって、的確なドキュメントの検索は、その情報を例えばアラームを生じさせる問題にリンクさせることによって自動化される。これは、操作員が、ドキュメントの多数のページ及び大きな図から手動で取捨選択する必要なく、略即座に必要な情報にアクセスできることを意味する。
【００７５】
従来の方法では、制御システム１０によって誤アラームが生成された場合には、その障害の箇所が既知であるかどうか判定し５６、既知である場合には、操作員は、図面セットを探し出して、的確な図面を特定することができる。障害の箇所が分からない場合には、操作員は、制御システム１０の診断ソフトウェアによって障害の箇所を見つけ出さなければならない５８。この従来の方法では、図面及び／又はデータシートは、その発見が難しいこと、インデックス化が不十分であること、カタログ化が不十分であること、欠落していることがあるため、多くの時間を要する可能性がある。本発明のセグメント化及びリンク付けを用いることで、状態インディケーションに関連付けられた関連情報又は最も関連した情報が検索で取得され、それを操作員に対して表示することが可能である。ポイント６０で的確な情報が発見されたら、ポイント６２で、設備又はセンサのドキュメントが必要であるかどうか判定する。このドキュメントは、施設内で、インターネットを介して、又は設備若しくはセンサのサプライヤを通して、発見することができる６４。このドキュメントの発見は、特にそのドキュメントが施設内にない場合に、やはり非常に時間を要する可能性がある。ドキュメントが特定された場合、又はドキュメントが必要ない場合には、ポイント６６で、操作員（又は関連した専門家）は、その障害が識別されたかどうか判定し、その後、適切な要員が、必要に応じて、障害の解決、又は保守及び／若しくは修理のために対応することが可能である７８。
【００７６】
これと比較して、情報検索システム１は、はるかに単純なプロセスを提供し、この場合、操作員は、例えば、画面上でアラームを選択して、ボタンをクリックすることが可能であり７０、これにより、関連したページの電子図面セットが開く。次に、設備又はセンサのドキュメントが必要かどうか判定することができる７２。必要である場合には、操作員は、設備又はセンサのドキュメントを検索して例えばデータシートで取得するために、電子図面上のハイパーリンクをクリックすることができる。そして、そのデータシートは、情報出力手段に表示される。次に、操作員又は関連した専門家は、障害が識別されたかどうか判定することができ７６、その後に続いて、必要に応じて、障害を解決し、保守及び／又は修理することができる７８。
【００７７】
図４は、情報検索システム１／制御システム１０のユーザインタフェースからのスクリーンショット例を示す図である。ウィンドウ表示は、いくつかの異なるアラーム１２に関連付けられた情報を示している。各アラームは、ウィンドウ内の番号付けされた行に表示されており、アラームに関連付けられたデータは、列に表示されている。列として、日付８０、時刻８２、ステータス８４、番号８６、クラス８８、タイプ９０、設備タグ９４、設備９８、ページ１００、入力及び／又は出力１及び２ １０２、ならびにメッセージテキスト１０４が含まれる。ウィンドウ１１０の一部が、囲まれており、そして明確にするために拡大されている。囲まれた部分は、行１８のアラームであり、これは、本例では、アラームに関連付けられたフローデータを有しており：日付８０は「２０１４年５月１４日」であり、時刻８２はおよそ２：３７ｐ．ｍ．であり、アラーム番号８６は「５６２」であり、クラス８８は「フィールド機器」であり、アラームタイプ９０は「障害」であり、設備タグ９４は「２１」であり、設備９８は「ＳＴＢＤトンネルコンベア」であり、本例ではページ１００は表示されておらず、入力／出力１ １０２は「Ｉ ２０１．５」であり、入力／出力２ １０２は「Ｍ３４．０」であり、そしてメッセージテキスト１０４は「プルコードスイッチ．．．」である。
【００７８】
制御システム／情報検索システムのウィンドウ１１０は、さらに、入力／出力１及び入力／出力２ １０２に関連したボタン９２を表示しており、操作員が、アラーム又は他の種類の状態インディケーションに関連付けられた行を選択すると、ボタン９２をクリックすることが可能となる。「１」と番号付けされたボタン９２がクリックされると、情報検索システムは、選択されたアラームに関連付けられた入力／出力１に関する情報を取得する。
【００７９】
さらに、制御システム１０／情報検索システム１のウィンドウには、ステータスインディケーションパネル９６が表示されており、これは、本例では、過負荷、最適負荷、及び無負荷など、負荷状況インディケーションを表示している。ステータスインディケーション９６は、さらにハイパーリンクされていることもあり、操作員がウィンドウ１１０のその領域をクリックすると、情報検索システム１は、その特定のステータスインディケーションに関連した情報を提供する。
【００８０】
図４に関して、別の実施形態では、入力／出力１及び入力／出力２ １０２に関連した２つのボタン９２を備える代わりに、１つのボタンを備え、これがクリックされると、図４Ａに示すように新規のウィンドウ２００が開く。このウィンドウ、ビュー、又は画面２００は、図４でその画面１１０のテーブルのハイライト表示されている行１８からのアラームに関連した情報を表示する。図４Ａの画面２００には、「５６２」であるアラーム番号８６が表示されており、これは、アラームの説明１０４「Ｓｔｂｄトンネルコンベア − プルコードスイッチ − ＳＴＢＤ ＦＷＤ トリップ状態」と共に、テーブルの最上部に向かって表示されている。ストリーム２００のメインテーブルは、アラームに関する情報を表示しており、本例では、最上行２０１にエントリを１つのみ有している。メインテーブルは、このアラームに関連付けられた情報を示しており、これは、「１」２０３である「アラーム要素」２０２；「ＤＩ０２１４」２０５である「Ｉ／Ｏインデックス」２０４；「２１ＬＹＨＹ２」２０７である「タグ」２０６；「Ｉ ２０１．５」２０９である「Ｉ／Ｏアドレス」２０８；及び、「Ｓｔｂｄトンネルコンベア − プルコードスイッチ − ＳＴＢＤ ＦＷＤ：正常状態」２１１である「説明」２１０、を含んでいる。このとき、メインテーブルは、情報検索システム１で利用できる情報を表示しており、それは、本例では、「電気回路図」２１４、「油圧回路図」２１６、「空圧回路図」２１８、及び「その他のドキュメント」２２０を含んでいる。これらの情報を情報検索システムで利用できる場合には、その下にボタンが表示される。本例では、電気回路図２１４のみを利用できるので、その下に「クリックして表示」ボタン２１５が表示されている。その情報を利用できない場合、テーブルには、その情報が利用できないことを示すために、単に「Ｎ／Ａ（利用不可）」２１７、２１９、２２１と表示される。
【００８１】
画面には、さらに、アラームのコンテキストに関する情報が、画面の最上部に向かって領域２２２及び２２４に表示されている。
【００８２】
操作員は、アラームに関連した情報の閲覧を望む場合には、「クリックして表示」ボタン２１５を作動させることが可能であり、これにより、図４Ｂに示すように、画面、ウィンドウ、又はビュー３００を表示させる。この画面は、番号「１」２０３である「アラーム要素」２０２に関する要約情報である行３０２を表示しており、これは、このアラームに関連付けられた入力及び／又は出力に関する情報を表示している。本例では、その情報は、プルコードスイッチの入力に関連している。操作員は、「クリックして表示」ボタン２１５を作動させることが可能であり、これにより、図４Ｃに示すように、すべての利用可能な「電気回路図」２１４を識別する情報をアイテムごとに示すテーブル４０２を有する、ウィンドウ、画面、又はビュー４００を表示させる。テーブル４０２は、本例ではアイテム「１」４０５及び「２」４０６を含む「アイテム」４０４；図面番号「Ｅ−２２２」４０８及び「Ｅ−２２２」４０９である「図面ＮＯ．」４０７；「３」４１１及び「５」４１２であるシート番号「ＳＨＴ」４１０；「Ｅ１１」４１４及び「Ｇ９」４１５であるリファレンス「ＲＥＦ．」４１３、を表示する列を有する。テーブル４０２は、さらに、それぞれの電気回路図について「１Ｃ」４２０、４２１であるリビジョン「ＲＥＶ」４１９と共に、「ＳＴＢＤ トンネル ホールド１ − リモートパネルＰＬＣシステム（２）」４１７及び「ＳＴＢＤ トンネル ホールド１ − 安全回路」４１８である「図面の説明」４１６を表示している。
【００８３】
画面４００のテーブル４０２は、さらに、「クリックして表示」ボタン４３０、４３２を有し、これを操作員が作動させると、その特定の電気回路図が表示され、これは、情報検索システム１によって、アラーム８６及び関連したプルコードスイッチの入力にリンクされている。コンピュータ画面上でわずかな数のボタンをクリックすることによって、操作員は、直接関連した情報を利用することができ、これは、そのアラームに直接関連するように、セグメント化されて、この特定のアラーム番号「５６２」及び関連した入力及び／又は出力にリンクされていることは理解されるであろう。アラームに関連した情報を特定しようと、大量のドキュメントから取捨選択する従来の手動的な方法と比較して、時間が大幅に節約される。
【００８４】
図４Ｄは、制御システム１０の例示的な画面５００を示している。場合によって、操作員は、プラント内の特定のアイテム又はコンポーネントに関する情報を、そのコンポーネントに関連した制御システムからのアラームが発生していなくても、知りたいことがある。例えば、操作員は、ポートコンベア５１０も描かれているコンベア５０６の図面に示されているような、Ｓｔｂｄコンベアベルト５０８上のプルコードスイッチ５１２に関連した情報に関心がある場合がある。
【００８５】
制御システム１０の表示画面５００は、コンベアシステム５０６全体に関する情報又はシステムの個々のコンポーネントに関する情報を表示するボックス５２０と共に、画面の最上部５０２及び最下部５０４にも情報を含んでいる。
【００８６】
操作員は、プルコードスイッチ５１２に関する情報を望む場合には、画面５００上でプルコードスイッチ５１２の描写上又はその描写と共に表示されたハイパーリンク又はボタンを作動させることが可能である。そのハイパーリンク又はボタンを作動させることによって、図４Ｃに示すような画面４００が表示され、そこで、操作員は、プルコードスイッチ５１２に関連した「電気回路図」２１４を表示させるために、「クリックして表示」ボタン４３０又は４３２を作動させることが可能である。これに関して、システム又はプラント内のコンポーネントに関する情報を検索して取得するために、アラームの発生は必要ではなく、操作員は、他の目的で、そのような情報を検索することに単に関心があるにすぎない場合があることは理解されるであろう。これには、情報検索システム１が、その情報をセグメント化して、関心対象のコンポーネント（本例では、プルコードスイッチ５１２）にリンクさせているという利点がある。他の実施形態では、操作員がプルコードスイッチのハイパーリンク又はボタンを作動させると、情報検索システム１は、図４Ｂに示すような画面３００を表示する。その後、操作員は、図４Ｃに示すような画面４００を得るために、画面３００上のボタン２１５を用いることができ、次に、関連図面を検索して取得するために、その画面上のボタン４３０、４３２を用いることができる。
【００８７】
図５は、ウィンドウ１１０の詳細を示している。図５の左端のパネルでは、ボタン９２の「１」が選択されており、これにより、画面上にツールチップ１１２が表示される。本例では、アラーム番号８６「５６２」に関連した行１８を、操作員がハイライト表示させている。このとき、操作員は、入力／出力１ １０２「Ｉ ２０１．５」に関する情報を検索するために、ボタン９２の「１」をクリックする。入力／出力「Ｉ ２０１．５」に関する情報は、回路図、コンポーネント図などを含み得る。情報は、さらに、データシートを含むこともある。関連情報は、情報検索システム１の情報出力手段によって、操作員に直ちに表示される。
【００８８】
あるいは、図５に示すように、操作員は、入力／出力２ １０２に関するドキュメントを表示させるために、ボタン９２の「２」を選択することができる。
【００８９】
図６は、情報検索システム１によって検索して表示させることが可能な情報の例を示している。この例では、情報は、図面（回路図）１２０である。この図面は、様々な入力／出力コンポーネント１２２に関する情報を含んでいる。関心対象の入力／出力コンポーネント１２２は、「Ｉ ２０１．５」であり、これを丸で囲んで、詳細に表示している。
【００９０】
一実施形態では、関心対象の入力／出力コンポーネント１２２に関連した図面１２０の部分を、動的にハイパーリンクさせることができ、操作員は、そのハイパーリンクをクリックして、関心対象の入力／出力コンポーネントに関するデータシート及びその他の情報を表示させることが可能である。
【００９１】
図７は、デジタル入力／出力のステータスインディケーション１２８の画面表示例を示している。ステータスインディケーションは、説明カードを有するテキストボックス１３０を含んでいる。図７は、ステータスインディケータ１３４の例を、関連付けられたアドレス１３６（本例では「Ｉ１００．０」）と共に示している。ステータスインディケータをクリックすると、情報検索システム１は、その入力／出力が表示された電気回路図を開く。
【００９２】
図８は、アナログ入力／出力のステータスインディケーション１４０を示している。このステータスインディケーションは、説明カードを有するテキストボックス１４２を有する。
【００９３】
アナログチャネル情報１４６が、いくつかの行で表示されており、チャネル情報をクリックすると、情報検索システム１は、例えば、そのチャネルが表示された関連電気回路図を開くように作動する。
【００９４】
アナログチャネル情報１４６の列として、チャネルアドレス１４８、チャネルタイプ１５０、接続された信号の物理値１５２、物理値の単位１５４、生値１５６、及びチャネルの説明１５８、が含まれる。
【００９５】
情報検索システム１は、さらに、例えば、入力及び出力コンポーネントに関する情報を情報モジュールに入力するための情報入力モジュールを備えることができる。情報入力モジュールは、スキャナを含むことができ、これを、電気回路図、コンポーネント図などをスキャンインするために用いることが可能であり、又は特定の入力又は出力コンポーネントに関連付けられたデータシートをスキャンインすることが可能である。
【００９６】
情報検索システム１は、さらに、リンク付け情報入力モジュールを備えることができる。リンク付け情報入力モジュールは、保存される情報を１つ以上のアラームにリンクさせるため、及び／又は図式情報をデータシート情報にリンクさせるため、及び／又は保存される情報をステータスインディケーションにリンクさせるために用いられる。このリンク付け情報は、情報検索システムによって、操作員が、例えば、制御システム１０の画面上のハイパーリンクをクリックすることでアラーム又はステータスインディケーションに関する関連情報を情報検索システムに検索させることを可能とするために、用いられるものである。
【００９７】
本明細書及び添付の請求項を通して、文脈上別段の解釈を要する場合を除き、「ｃｏｍｐｒｉｓｅ（備える）」という表現、ならびに「ｃｏｍｐｒｉｓｅｓ」及び「ｃｏｍｐｒｉｓｉｎｇ」のような変化形は、記載の完全体若しくはステップ又は完全体群若しくはステップ群を含むが、他の完全体若しくはステップ又は完全体群若しくはステップ群をいずれも除外しないことを意味するものと理解される。
【００９８】
本明細書における先行技術の参照はいずれも、その先行技術が共通の一般的知識の一部をなすことを認めるもの、又はそのことを何らかの形で示唆するものと、解釈されるものではなく、また、解釈されるべきではない。
【手続補正２】
【補正対象書類名】特許請求の範囲
【補正対象項目名】全文
【補正方法】変更
【補正の内容】
【特許請求の範囲】
【請求項１】
プロセス及び／又は設備品を有するプラントにおいて制御システムと共に用いるための情報検索システムであって、前記制御システムは、前記プロセス及び前記設備品を監視ならびに制御するために、少なくとも１つの入力コンポーネント及び／又は少なくとも１つの出力コンポーネントに接続されており、前記制御システムは、少なくとも１つの入力及び／又は出力コンポーネント；少なくとも１つのプロセス；少なくとも１つの設備品；前記制御システムの一部；又は前記プラントの一部：のうちの１つ以上から状態インディケーションを生成するように作動させられるものであり、当該情報検索システムは：
前記状態インディケーションを受信するために、前記制御システムと通信するインタフェース；
前記入力コンポーネント、前記出力コンポーネント、前記プロセス、前記設備品、及び前記プラントに関する情報を保存するための情報モジュールであって、前記保存される情報は、前記状態インディケーションにリンクされているとともに、所与の状態インディケーションにリンクされた情報が、前記所与の状態インディケーションに関連付けられた入力及び／又は出力コンポーネント；プロセス；設備品；前記制御システムの部分又は前記プラントの部分：のうちの１つ以上に関連性を持つように、前記保存される情報はセグメント化されている、情報モジュール；
保存される情報を選択的にセグメント化するとともに、前記セグメント化された保存情報を１つ以上の状態インディケーションに選択的にリンクさせるための、セグメント化／リンク付けモジュール；及び、
当該情報検索システムを制御するためのユーザインタフェース；を備え、
ユーザは、前記選択的にセグメント化された保存情報であって、受信された状態インディケーションにリンクされた保存情報を検索するために、前記ユーザインタフェースを操作することが可能である、情報検索システム。
【請求項２】
前記保存される情報がマルチページドキュメントである場合には、前記セグメント化及びリンク付けは、前記状態インディケーションに関連した情報が記載されている１つ以上のページ番号を入力することをさらに含み、これにより、前記検索で取得された情報は、該１つ以上のページのみを含むことになる、請求項１に記載の情報検索システム。
【請求項３】
前記セグメント化及びリンク付けは、前記検索で取得された情報の少なくとも一部がハイライト表示されるように、情報を入力することをさらに含む、請求項１又は２に記載の情報検索システム。
【請求項４】
前記情報は、回路図；電気回路図；回路レイアウト図；油圧回路図；空圧回路図；ループ図；及びプロセスフロー図：のうちの１つ以上を含む図式情報を含む、請求項１〜３のいずれか一項に記載の情報検索システム。
【請求項５】
前記情報は、データシートを含む非図式情報を含む、請求項４に記載の情報検索システム。
【請求項６】
前記図式情報に示される少なくとも１つのコンポーネントが、該コンポーネントに関する関連データシートに関連付けられている場合には、前記セグメント化及びリンク付けは、前記検索で取得された情報が該図式情報及び該関連データシートを含むように、情報を入力することをさらに含む、請求項５に記載の情報検索システム。
【請求項７】
前記少なくとも１つのコンポーネントは、保存される関連情報との関連付けのために入力される固有の識別子を有する、請求項６に記載の情報検索システム。
【請求項８】
前記ユーザインタフェースに状態インディケーションが表示されるときには、該状態インディケーションならびに関連する入力及び／又は出力はハイパーリンクされており、前記ハイパーリンクを作動させることによって、関連する保存情報が検索される、請求項１〜７のいずれか一項に記載の情報検索システム。
【請求項９】
前記検索で取得された情報を、プリンタで印刷すること、又は表示画面を備えた携帯電子機器に転送すること、を含む、出力手段によって出力し、これにより、前記ユーザは、前記検索で取得された情報を、調査を実施する場所又はその近くで閲覧することが可能である、請求項１〜８のいずれか一項に記載の情報検索システム。
【請求項１０】
前記保存される情報は、アラーム、入力／出力ステータスインディケーション、及び可能性のある障害状態：のうちの１つ以上を含む、請求項１〜９のいずれか一項に記載の情報検索システム。
【請求項１１】
前記制御システムの入力及び出力コンポーネントは、物理（システム）入力及び／又は出力、センサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータ：のうちのいずれか１つ以上を含む、請求項１〜１０のいずれか一項に記載の情報検索システム。
【請求項１２】
前記制御システムは：監視制御・データ収集（ＳＣＡＤＡ）システム；プログラマブルロジックコントローラ（ＰＬＣ）；又は、分散制御システム（ＤＣＳ）を含む、請求項１〜１１のいずれか一項に記載の情報検索システム。
【請求項１３】
前記ユーザインタフェースは、グラフィックディスプレイである、請求項１〜１２のいずれか一項に記載の情報検索システム。
【請求項１４】
前記ユーザインタフェースは、さらに、前記制御システムのユーザインタフェースを含む、請求項１〜１３のいずれか一項に記載の情報検索システム。
【請求項１５】
当該情報検索システムは、前記制御システム内に組み込まれている、請求項１〜１４のいずれか一項に記載の情報検索システム。
【請求項１６】
前記制御システムによって生成される前記状態インディケーションは、専用の情報リクエストをなす伝送によって、当該情報検索システムに伝送される、請求項１〜１５のいずれか一項に記載の情報検索システム。
【請求項１７】
プロセス及び／又は設備品を有するプラントにおいて情報を検索する方法であって、前記プロセス及び前記設備品を監視ならびに制御するために、少なくとも１つの入力コンポーネント及び／又は少なくとも１つの出力コンポーネントに制御システムが接続されており、前記制御システムは、
少なくとも１つの入力及び／又は出力コンポーネント；
少なくとも１つのプロセス；
少なくとも１つの設備品；
前記制御システムの一部；又は、
前記プラントの一部：のうちの１つ以上から状態インディケーションを生成するように作動させられるものであり、
情報検索システムは、状態インディケーションを受信するためのインタフェース、ならびに、前記入力コンポーネント、前記出力コンポーネント、前記プロセス、前記設備品、及び前記プラントに関する情報を保存するための情報モジュール、を有し、前記保存される情報は、前記状態インディケーションにリンクされているとともに、所与の状態インディケーションにリンクされた情報が、
前記所与の状態インディケーションに関連付けられた、前記入力及び／又は出力コンポーネント；
前記プロセス；
前記設備品；
前記制御システムの部分；又は、
前記プラントの部分：のうちの１つ以上に関連性を持つように、前記保存される情報はセグメント化されており、
前記情報検索システムは、さらに、保存される情報を選択的にセグメント化するとともに、前記セグメント化された保存情報を１つ以上の状態インディケーションに選択的にリンクさせる、セグメント化／リンク付けモジュールに、作用的に接続されており、当該方法は：
前記制御システムと通信するユーザインタフェース上に、状態インディケーションに関連した１つ以上のインディケーションを受信すること；
調査するための状態インディケーションを選択するように前記ユーザインタフェースを操作すること；
前記状態インディケーションを、専用の情報リクエストをなす伝送によって前記情報検索システムに伝送すること；
セグメント化された情報表示を受信することであって、
少なくとも１つの入力及び／又は出力コンポーネント；
少なくとも１つのプロセス；
少なくとも１つの設備品；
前記制御システムの一部；又は、
前記プラントの一部：のうちの１つ以上に関する保存情報のセグメントに関連した情報に各情報セグメントがリンクされるようにセグメント化された情報表示を受信すること；及び、
前記状態インディケーションに関連したセグメント化された関連情報を表示させるために１つ以上のリンクを選択することであって、これにより前記調査プロセスを支援すること、を含む方法。
【請求項１８】
前記保存される情報はマルチページドキュメントであり、前記セグメント化及びリンク付けは、状態インディケーションに関連した情報が記載されている１つ以上のページ番号を入力することをさらに含み、これにより、前記検索で取得された情報は、該１つ以上のページのみを含むことになる、請求項１７に記載の方法。
【請求項１９】
前記セグメント化及びリンク付けは、前記検索で取得された情報の少なくとも一部が、表示されるときに前記ユーザインタフェース上でハイライト表示されるように、情報を入力することをさらに含む、請求項１７又は１８に記載の方法。
【請求項２０】
前記情報は、回路図；電気回路図；回路レイアウト図；油圧回路図；空圧回路図；ループ図；及びプロセスフロー図：のうちの１つ以上を含む図式情報を含む、請求項１７〜１９のいずれか一項に記載の方法。
【請求項２１】
前記情報は、データシートを含む非図式情報を含む、請求項２０に記載の方法。
【請求項２２】
前記図式情報に示される少なくとも１つのコンポーネントが、該コンポーネントに関する関連データシートに関連付けられている場合には、前記セグメント化及びリンク付けは、前記検索で取得された情報が該図式情報及び該関連データシートへのリンクを含むとともに前記ユーザインタフェースに前記リンクが表示されるように、情報を入力することをさらに含む、請求項２１に記載の方法。
【請求項２３】
前記少なくとも１つのコンポーネントは、保存される関連情報に関連付けられる固有の識別子を有する、請求項２２に記載の方法。
【請求項２４】
前記ユーザインタフェースに状態インディケーションが表示されるときには、該状態インディケーションならびに関連する入力及び／又は出力はハイパーリンクされており、前記ハイパーリンクを作動させることによって、関連する保存情報を検索する前記専用の情報リクエストの伝送を発生させる、請求項１７〜２３のいずれか一項に記載の方法。
【請求項２５】
前記検索で取得された情報を、プリンタ、又は表示画面を備えた携帯電子機器を含む、出力手段によって出力し、これにより、ユーザが、検索で取得された情報を、調査を実施する場所又はその近くで閲覧することを可能とする、請求項１７〜２４のいずれか一項に記載の方法。
【請求項２６】
前記保存される情報は、アラーム、入力／出力ステータスインディケーション、及び可能性のある障害状態：のうちの１つ以上を含む、請求項１７〜２５のいずれか一項に記載の方法。
【請求項２７】
前記制御システムの入力及び出力コンポーネントは、物理（システム）入力及び／又は出力、センサ、スイッチ、トランスミッタ、トランスデューサ、遠隔端末装置（ＲＴＵ）、プログラマブルロジックコントローラ（ＰＬＣ）、コンタクト、ワイヤ、ケーブル、接続、電気回路、電気部品、電気機械部品、電子部品、油圧部品、空圧部品、及びアクチュエータ：のうちのいずれか１つ以上を含む、請求項１７〜２６のいずれか一項に記載の方法。
【請求項２８】
前記制御システムは：監視制御・データ収集（ＳＣＡＤＡ）システム；プログラマブルロジックコントローラ（ＰＬＣ）；又は、分散制御システム（ＤＣＳ）を含む、請求項１７〜２７のいずれか一項に記載の方法。
【請求項２９】
前記ユーザインタフェースは、グラフィックディスプレイである、請求項１７〜２８のいずれか一項に記載の方法。
【請求項３０】
前記ユーザインタフェースは、さらに、前記制御システムのユーザインタフェースを含む、請求項１７〜２９のいずれか一項に記載の方法。
【請求項３１】
前記情報検索システムは、前記制御システム内に組み込まれている、請求項１７〜３０のいずれか一項に記載の方法。
【請求項３２】
コンピュータ命令コードを含む非一時的コンピュータ可読媒体であって、前記コンピュータ命令コードは、実行されることで、請求項１７〜３１のいずれか一項に記載の方法ステップを実施するものである、非一時的コンピュータ可読媒体。
【国際調査報告】
2017528781.tif 000015
2017528781.tif 000016
2017528781.tif 000017
2017528781.tif 000018
2017528781.tif 000019
2017528781.tif 000020
2017528781.tif 000021
2017528781.tif 000022
2017528781.tif 000023